(57)【要約】【課題】  光源を覆うカバー内へ虫が侵入するのを阻止する。【解決手段】  光源のカバー７０を器具本体２に対し回転させることにより取り付ける。被係止部７５の回転の中心からの距離が係止部２４の回転の中心からの距離と同じであり、ガイド部は、回転の方向について被係止部７５を係止部２４へ案内し、被係止部７５が係止部２４の上に乗り上げた状態に係止される。被係止部７５をガイド部へ合わせカバー７０を回転させることにて、被係止部７５を係止部２４へ係止することができ、上記係止により上記カバー７０を上記器具本体２へ固定する。虫侵入防止部２８は、カバー７０と器具本体２との間に介される弾性変形部材であり、平面視環状の部材である。弾性変形部材は、上記係止によりカバー７０と器具本体２とに挟まれて弾性変形しカバー７０と器具本体２と間を密閉し、弾性変形により被係止部７５を係止部２４へ付勢する。【選択図】図１
2013114868.tif 000002
【特許請求の範囲】
【請求項１】
天井から吊下げられて室内を照らす吊り下げ型の照明器具において、
光源である複数のＬＥＤと、当該ＬＥＤが取り付けられる器具本体と、当該器具本体へ取り付けられてＬＥＤを覆うカバーと、器具本体へカバーを固定する固定機構と、カバー内へ虫が侵入するのを防止する虫侵入防止部とを備え、
上記カバーの上端は、上端開口部にて開口し、上記器具の下方から上記器具本体へ取り付けられて、上記光源を覆うものであり、
上記固定機構は、係止部と、被係止部と、収容部と、固定具とによって構成され、上記カバーを上記器具本体に対し回転させることにより、上記カバーを上記器具本体へ取り付けるものであり、
上記器具本体は、中心軸を上下とする筒状体であり、下端に底部を備え、
上記複数のＬＥＤよりも上方において、上記器具本体の外周には、上記器具本体と同心のスリーブと筒状部とが、器具本体と一体に設けられており、
上記スリーブは、平面視において器具本体を中心として器具本体の径外方向であり且つ下方へ向けて突出するものであり、
上記筒状部は、上記スリーブの径の内側に設けられ、
上記収容部は、上記スリーブと上記筒状部との間に設けられた空間であり、上記スリーブの外縁と上記筒状部の下縁との間が当該収容部の開口部をなし、
上記係止部は、上記筒状部の外縁に複数設けられ、上記筒状部の下縁から上記筒状部の径の外側に向けて突出するものであり、
複数の上記係止部同士は、上記スリーブの周方向について間隔を開けて設けられ、
上記スリーブの周方向について、収容部の上記開口部における当該間隔を開けられた区間が、ガイド部を構成し、
上記係止部における筒状部の周方向の一端には、筒状部の外周に沿って当該一端から離れるにつれ下方へ斜めに伸びる傾斜部が延設され、
上記カバーは、光拡散部と、中央部と、内襟部とを備え、
上記光拡散部は、器具本体に設けられた上記ＬＥＤの収容空間を覆い、且つ、ＬＥＤの光を拡散してカバーの外部へ透過する平面視環状のケースであり、
上記光拡散部の径は、上記スリーブの径よりも大きく、
上記中央部は，環状の上記光拡散部が呈する環の内側に設けられ、且つ、上記光拡散部と一体に形成されて光拡散部の呈する環の内側を塞ぎ、
上記内襟部は、上記光拡散部の外縁から、上記光拡散部の径内側に向けて、上記光拡散部と一体に形成された平面視環状の板状部であり、
上記被係止部は、上記内襟部の内径部に複数設けられ、上記内襟部の径の内側に向けて突出するものであり、
複数の被係止部同士は、上記内襟部の周方向について間隔を開けて配置され、
上記被係止部の夫々は、上方に隆起する起立部を備え、
上記カバーを上記器具本体の下面へ上記器具本体と同心に配置した状態において、平面視における被係止部の器具本体の中心からの距離は、平面視における係止部の器具本体の中心からの距離と等しいものであり、
上記カバーを上記器具本体の下面へ上記器具本体と同心に配置し、上記ガイド部から上記収容部へ被係止部を収容した状態にして、上記カバーを器具本体に対し回転させることにより、上記ガイド部にガイドされた被係止部は、上記傾斜部を経て係止部の上面へ移動し、
上記スリーブ内において、上記傾斜部側を入口側とし係止部を挟んで上記傾斜部と反対側は、行き止まりとなっており、
被係止部の上記移動により、上記起立部の上端が、収容部内にて、上記スリーブの下面と当接して、上記スリーブの外縁がカバーの上記内襟部上面へ接触するのを阻止し、
上記固定具は、ねじ山を備えた部材であり、上記固定具は、上記移動にて被係止部の係止部へ係止が完了した後、上記スリーブの外部からねじ込まれて、被係止部が係止部から上記入口側へ後退するのを阻止するものであり、上記固定具は、工具によって取り外しできるものであり、
上記虫侵入防止部は、上記スリーブの外縁に沿って当該外縁又は上記起立部よりも当該外縁側に設けられた、平面視環状のスポンジであり、上記虫侵入防止部の下端は、スリーブの上記外縁よりも下方に突出するものであり、
上記カバーの器具本体への取り付けによって、虫侵入防止部は、上記スリーブの外縁と、カバーの上記内襟部上面とに挟まれて弾性変形し、上記スリーブの外縁と、カバーの上記内襟部上面との間の隙間を密閉するものであり、
弾性変形した上記虫侵入防止部の付勢によって、上記被係止部は上記係止部上面へ押圧されるものであることを特徴とする照明器具。
【請求項２】
屋内又は屋外に設置されて周囲を照らす照明器具であって、
光源と、当該光源が取り付けられる器具本体と、当該器具本体へ取り付けられて光源を覆うカバーと、当該カバーを上記器具本体へ取り付ける固定機構と、当該器具本体と当該カバーとの間からカバー内へ虫が侵入するのを防止する虫侵入防止部とを備え、
上記カバーは、上記器具本体を臨む側に開口する一端開口部を備え、上記カバーは、当該一端開口部側を上記器具本体へ向けて上記器具本体へ取り付けられて、上記光源を覆うものであり、
上記固定機構は、上記カバーを上記器具本体に対し回転させることにより、上記カバーを上記器具本体へ取り付けることを可能とするものであり、
上記固定機構は、上記器具本体と上記カバーの一方に設けられた係止部と、
上記器具本体と上記カバーのうち係止部が設けられた当該一方に形成されたガイド部と、
器具本体とカバーの他の一方に設けられて係止部に係止される被係止部とを備え、
上記被係止部は、上記回転の中心からの距離が、上記係止部の上記回転の中心からの距離と同じであり、
上記ガイド部は、上記回転の方向について、少なくとも係止部と離れた位置から係止部に至るまで設けられて、被係止部を係止部へ案内するものであり、
上記被係止部が上記係止部の上に乗り上げることにより、上記被係止部が係止部へ係止され、且つ、上記器具本体へ上記カバーが接近するものであり、
上記被係止部をガイド部へ合わせることにより、上記カバーの回転にて、上記被係止部を上記係止部へ係止することができ、被係止部の係止部への当該係止により、上記カバーを上記器具本体へ取り付けることができ、
上記虫侵入防止部は、上記一端開口部の縁或いは当該縁の外側において上記カバーと上記器具本体との間に介される弾性変形部材であり、上記回転方向について連続して配置された平面視環状の部材であり、
上記弾性変形部材は、係止部への被係止部の上記係止により、上記カバーと上記器具本体とに挟まれて弾性変形し、上記カバーと上記器具本体と間を密閉するものであり、
弾性変形した弾性変形部にて、被係止部は係止部へ付勢されるものであることを特徴とする照明器具。
【請求項３】
上記係止部が設けられた、上記器具本体と上記カバーの一方に、上記被係止部の収容部が設けられ、
上記収容部は、上記回転の中心を中心として弧状に伸びる或いは上記回転の中心を中心とする環状の開口部を備え、
上記係止部は、上記開口部の径の内外方向及び周方向について、上記開口部内に配置され、
上記開口部は、上記周方向について、上記係止部に隣接して当該係止部が形成されない区間を上記ガイド部として備え、
上記被係止部は、上記収容部の奥行き方向に隆起する起立部を備え、
上記カバーの上記器具本体への取り付けにおいて、上記起立部が収容部内にて収容部を画する面と当接して、上記カバーの上端開口部において、係止部以外の部位が上記器具本体へ直接接触するのを防ぎ、
上記カバーは、上記上端開口部において、上記被係止部のみにて、器具本体と直接接触するものであることを特徴とする請求項２記載の照明器具。
【請求項４】
上記固定具は、ねじ山を備えた部材であり、
上記収容部内において、上記被係止部が係止部へ乗り上げた先は行き止まりとなっており、
上記固定具は、上記移動にて被係止部の係止部へ係止が完了した後、上記スリーブの外部からねじ込まれて、被係止部が係止部の上から後退するのを阻止するものであり、
上記固定具は、工具によって取り外しできるものであることを特徴とする請求項２又は３記載の照明器具。
【請求項５】
上記カバーは、上方に上記一端開口部を備え、上記器具本体の下方から器具本体へ取り付けられるものであり、
カバーの上記回転は、平面視において上記器具本体の中心を中心として行われ、
上記器具本体は、ＬＥＤが取り付けられた部位よりも上方にあって、上記器具本体の側面から突出するスリーブを備え、
上記スリーブは、側面視において、上記器具本体の径外方向に進むにつれて下方へ傾斜して突出するものであり、
上記器具本体側面と上記スリーブとの間の空間が、上記収容部を構成し、
上記係止部は、上記光源と上記スリーブの間にて上記器具本体側面から器具本体の径外方向へ突出するものであり、
平面視において、複数の上記係止部同士は、間隔を開けて設けられ、上記収容部における上記係止部間の区間が、上記カイド部を構成し、
カバー上端は、カバーの径の内側方向へ突出する環状の内襟部を備え、当該内襟部の内径部が上記一端開口部を規定し、
上記被係止部は、上記内襟部の内径部から、カバーの径内側へ向け突出するものであり、
平面視において、複数の上記被係止部同士は、間隔を開けて設けられ、
上記虫侵入防止部は、側面視において、上記スリーブの外縁と上記内襟部上面との間に介され、被係止部の係止部への上記係止により接近する上記スリーブの外縁と上記内襟部の上面に挟まれて弾性変形し、上記スリーブの外縁と上記内襟部の上面との間を密閉するものであり、
上記虫侵入防止部は、スポンジ等の弾力性を有する部材であることを特徴とする請求項２乃至４の何れかに記載の照明器具。
【発明の詳細な説明】
【技術分野】
【０００１】
本願発明は、照明器具に関するものである。
【背景技術】
【０００２】
設置されて周囲を照らす照明器具は、屋内、屋外を問わず、光源を覆うカバー内への虫の侵入に苦慮する。
近年では、省エネや、蛍光灯に比べて寿命の長いことから、光源にＬＥＤを採用するものが普及しつつある。
特に、ＬＥＤの光の特性として、虫が好む４００ｎｍの波長をほとんど含まないので、虫が寄りにくいとの期待があった。
しかし、実際に照明器具にＬＥＤを使用すると、熱を発生するので、このような熱に惹かれて虫が寄ってきてしまう。
このよう背景から、特許文献１には、虫の侵入を防止する手段として、発泡樹脂であるスポンジを備えた照明器具が提案されている。
【０００３】
この特許文献１に示された照明器具は、光源と、この光源と電気的に接続してこれを制御する制御部と、この制御部及び光源を設けたシャーシ本体と、前記シャーシ本体の前記光源側で該光源を覆うために上部のみが開口されたカバーを有した照明器具において、前記シャーシ本体の外周縁部に下方に折り返した折返面を形成し、前記カバーの前記開口周縁に上方へ立ち上がる立設面を形成し、前記カバーの開口周縁部と前記立設面とに接触する部位に、前記シャーシ本体の前記折返面と弾性変形した状態で接触する侵入阻止部材を設けたものである。特許文献１において、上記侵入防止部材として、発砲樹脂であるスポンジが示されている。
上記構成によって、特許文献１において、シャーシ本体への上記折返面の形成により、シャーシ本体の歪みを抑えた旨その効果とする。即ち、特許文献１は、シャーシ本体の熱膨張や変形による隙間の発生を抑えて、当該隙間から虫が侵入するのを防止しようとするものである。特に、上記折返面と立設面との隙間に弾性変形部材即ち上記スポンジを、侵入防止部材として設けることで、上記では対処できない隙間の発生に対応しようとするものである。
【先行技術文献】
【特許文献】
【０００４】
【特許文献１】特開２００７−１０９４３６号公報
【発明の概要】
【発明が解決しようとする課題】
【０００５】
しかし、この公報のものでは、カバーをシャーシ本体へ固定する具体的な手段が示されていない。
例えば、カバーのシャーシ本体への固定に際して、特許文献１の図３のシャーシ本体下方から上方へカバーを移動させて行くものとすると、折返面３ａの下端がカバー４へ突き当たるまで、スポンジ３ａは、当該折返面３ａの内側面に擦られることになる。このため、フィルムを、スポンジ３ａに設けるといった、スポンジ３ａの滑りを良くする工夫を必要とする。
また、上記摩擦によってスポンジが捲れて剥がれないように、上記延設面４ｂを形成して、スポンジを押さえる必要がある。
更に、スポンジは、変形によって隙間が生じた場合に対応するためのものであり、本来、折返面の形成にて上記隙間を排除することを主眼とするものである。このため、特許文献１では、シャーシ本体とカバーとの接触を確実にすることが前提とされる。
密閉構造において、このような素材の異なる部材が接触することにより、防虫を可能とすることはできても、光源の熱を受けて、カバーとシャーシ本体の素材間の、熱の膨張率・収縮率の違いで、収縮音「音鳴り」が発生する。
更に、一般的な照明器具では、光源の交換などのために、カバーを簡単に外すことができる固定構造を採用している。このため、利用者において、加熱したＬＥＤやＬＥＤの基板に触れて火傷を負うという危惧がある。
本願発明は、照明器具において、カバー内への虫の侵入を防ぐことを目的とする。
また、本願発明は、照明器具使用時の光源の発する熱によって、カバーや器具本体の収縮・膨張にて、上記音鳴りの発生を防止することを目的とする。
更に、本願発明は、利用者において簡単にカバーを外すことができない照明器具の提供を目的とする。
本願発明は、特に、複雑な構成を必要とせずに弾性変形部材を確実に器具本体へ固定すると共に上記虫侵入の防止をより確実に行うことをその目的とする。
【課題を解決するための手段】
【０００６】
本願の請求項１の発明は、天井から吊下げられて室内を照らす吊り下げ型の照明器具について、次の構成を採るものを提供する。
即ち、この照明器具は、光源である複数のＬＥＤと、当該ＬＥＤが取り付けられる器具本体と、当該器具本体へ取り付けられてＬＥＤを覆うカバーと、器具本体へカバーを固定する固定機構と、カバー内へ虫が侵入するのを防止する虫侵入防止部とを備え、上記カバーの上端は、上端開口部にて開口し、上記器具の下方から上記器具本体へ取り付けられて、上記光源を覆うものであり、上記固定機構は、係止部と、被係止部と、収容部と、固定具とによって構成され、上記カバーを上記器具本体に対し回転させることにより、上記カバーを上記器具本体へ取り付けるものであり、上記器具本体は、中心軸を上下とする筒状体であり、下端に底部を備え、上記複数のＬＥＤよりも上方において、上記器具本体の外周には、上記器具本体と同心のスリーブと筒状部とが、器具本体と一体に設けられており、上記スリーブは、平面視において器具本体を中心として器具本体の径外方向であり且つ下方へ向けて突出するものであり、上記筒状部は、上記スリーブの径の内側に設けられ、上記収容部は、上記スリーブと上記筒状部との間に設けられた空間であり、上記スリーブの外縁と上記筒状部の下縁との間が当該収容部の開口部をなし、上記係止部は、上記筒状部の外縁に複数設けられ、上記筒状部の下縁から上記筒状部の径の外側に向けて突出するものであり、複数の上記係止部同士は、上記スリーブの周方向について間隔を開けて設けられ、上記スリーブの周方向について、収容部の上記開口部における当該間隔を開けられた区間が、ガイド部を構成し、上記係止部における筒状部の周方向の一端には、筒状部の外周に沿って当該一端から離れるにつれ下方へ斜めに伸びる傾斜部が延設され、上記カバーは、光拡散部と、中央部と、内襟部とを備え、上記光拡散部は、器具本体に設けられた上記ＬＥＤの収容空間を覆い、且つ、ＬＥＤの光を拡散してカバーの外部へ透過する平面視環状のケースであり、上記光拡散部の径は、上記スリーブの径よりも大きく、
上記中央部は，環状の上記光拡散部が呈する環の内側に設けられ、且つ、上記光拡散部と一体に形成されて光拡散部の呈する環の内側を塞ぎ、上記内襟部は、上記光拡散部の外縁から、上記光拡散部の径内側に向けて、上記光拡散部と一体に形成された平面視環状の板状部であり、上記被係止部は、上記内襟部の内径部に複数設けられ、上記内襟部の径の内側に向けて突出するものであり、複数の被係止部同士は、上記内襟部の周方向について間隔を開けて配置され、上記被係止部の夫々は、上方に隆起する起立部を備え、上記カバーを上記器具本体の下面へ上記器具本体と同心に配置した状態において、平面視における被係止部の器具本体の中心からの距離は、平面視における係止部の器具本体の中心からの距離と等しいものであり、上記カバーを上記器具本体の下面へ上記器具本体と同心に配置し、上記ガイド部から上記収容部へ被係止部を収容した状態にして、上記カバーを器具本体に対し回転させることにより、上記ガイド部にガイドされた被係止部は、上記傾斜部を経て係止部の上面へ移動し、上記スリーブ内において、上記傾斜部側を入口側とし係止部を挟んで上記傾斜部と反対側は、行き止まりとなっており、被係止部の上記移動により、上記起立部の上端が、収容部内にて、上記スリーブの下面と当接して、上記スリーブの外縁がカバーの上記内襟部上面へ接触するのを阻止し、上記固定具は、ねじ山を備えた部材であり、上記固定具は、上記移動にて被係止部の係止部へ係止が完了した後、上記スリーブの外部からねじ込まれて、被係止部が係止部から上記入口側へ後退するのを阻止するものであり、上記固定具は、工具によって取り外しできるものであり、上記虫侵入防止部は、上記スリーブの外縁に沿って当該外縁又は上記起立部よりも当該外縁側に設けられた、平面視環状のスポンジであり、上記虫侵入防止部の下端は、スリーブの上記外縁よりも下方に突出するものであり、上記カバーの器具本体への取り付けによって、虫侵入防止部は、上記スリーブの外縁と、カバーの上記内襟部上面とに挟まれて弾性変形し、上記スリーブの外縁と、カバーの上記内襟部上面との間の隙間を密閉するものであり、弾性変形した上記虫侵入防止部の付勢によって、上記被係止部は上記係止部上面へ押圧される。
本願の請求項２の発明は、屋内又は屋外に設置されて周囲を照らす照明器具について、次の構成を採るものを提供する。
即ち、この照明器具は、光源と、当該光源が取り付けられる器具本体と、当該器具本体へ取り付けられて光源を覆うカバーと、当該カバーを上記器具本体へ取り付ける固定機構と、当該器具本体と当該カバーとの間からカバー内へ虫が侵入するのを防止する虫侵入防止部とを備え、上記カバーは、上記器具本体を臨む側に開口する一端開口部を備え、上記カバーは、当該一端開口部側を上記器具本体へ向けて上記器具本体へ取り付けられて、上記光源を覆うものであり、上記固定機構は、上記カバーを上記器具本体に対し回転させることにより、上記カバーを上記器具本体へ取り付けることを可能とするものであり、上記固定機構は、上記器具本体と上記カバーの一方に設けられた係止部と、上記器具本体と上記カバーのうち係止部が設けられた当該一方に形成されたガイド部と、器具本体とカバーの他の一方に設けられて係止部に係止される被係止部とを備え、上記被係止部は、上記回転の中心からの距離が、上記係止部の上記回転の中心からの距離と同じであり、上記ガイド部は、上記回転の方向について、少なくとも係止部と離れた位置から係止部に至るまで設けられて、被係止部を係止部へ案内するものであり、上記被係止部が上記係止部の上に乗り上げることにより、上記被係止部が係止部へ係止され、且つ、上記器具本体へ上記カバーが接近するものであり、上記被係止部をガイド部へ合わせることにより、上記カバーの回転にて、上記被係止部を上記係止部へ係止することができ、被係止部の係止部への当該係止により、上記カバーを上記器具本体へ取り付けることができ、上記虫侵入防止部は、上記一端開口部の縁或いは当該縁の外側において上記カバーと上記器具本体との間に介される弾性変形部材であり、上記回転方向について連続して配置された平面視環状の部材であり、上記弾性変形部材は、係止部への被係止部の上記係止により、上記カバーと上記器具本体とに挟まれて弾性変形し、上記カバーと上記器具本体と間を密閉するものであり、弾性変形した弾性変形部にて、被係止部は係止部へ付勢される。
本願の請求項３の発明は、本願の上記請求項２の発明にあって、次の構成を採る照明器具を提供する。
即ち、上記係止部が設けられた、上記器具本体と上記カバーの一方に、上記被係止部の収容部が設けられ、上記収容部は、上記回転の中心を中心として弧状に伸びる或いは上記回転の中心を中心とする環状の開口部を備え、上記係止部は、上記開口部の径の内外方向及び周方向について、上記開口部内に配置され、上記開口部は、上記周方向について、上記係止部に隣接して当該係止部が形成されない区間を上記ガイド部として備え、上記被係止部は、上記収容部の奥行き方向に隆起する起立部を備え、上記カバーの上記器具本体への取り付けにおいて、上記起立部が収容部内にて収容部を画する面と当接して、上記カバーの上端開口部において、係止部以外の部位が上記器具本体へ直接接触するのを防ぎ、上記カバーは、上記上端開口部において、上記被係止部のみにて、器具本体と直接接触するものである。
本願の請求項４の発明では、本願の上記請求項２又は３の発明にあって、上記固定具は、ねじ山を備えた部材であり、上記収容部内において、上記被係止部が係止部へ乗り上げた先は行き止まりとなっており、上記固定具は、上記移動にて被係止部の係止部へ係止が完了した後、上記スリーブの外部からねじ込まれて、被係止部が係止部の上から後退するのを阻止するものであり、上記固定具は、工具によって取り外しできるものである照明器具を提供する。
本願の請求項５の発明は、上願の上記請求項２乃至４の何れかの発明にあって、次の構成を採る照明器具を提供する。
即ち、上記カバーは、上方に上記一端開口部を備え、上記器具本体の下方から器具本体へ取り付けられるものであり、カバーの上記回転は、平面視において上記器具本体の中心を中心として行われ、上記器具本体は、ＬＥＤが取り付けられた部位よりも上方にあって、上記器具本体の側面から突出するスリーブを備え、上記スリーブは、側面視において、上記器具本体の径外方向に進むにつれて下方へ傾斜して突出するものであり、上記器具本体側面と上記スリーブとの間の空間が、上記収容部を構成し、  上記係止部は、上記光源と上記スリーブの間にて上記器具本体側面から器具本体の径外方向へ突出するものであり、平面視において、複数の上記係止部同士は、間隔を開けて設けられ、上記収容部における上記係止部間の区間が、上記カイド部を構成し、  カバー上端は、カバーの径の内側方向へ突出する環状の内襟部を備え、当該内襟部の内径部が上記一端開口部を規定し、上記被係止部は、上記内襟部の内径部から、カバーの径内側へ向け突出するものであり、平面視において、複数の上記被係止部同士は、間隔を開けて設けられ、上記虫侵入防止部は、側面視において、上記スリーブの外縁と上記内襟部上面との間に介され、被係止部の係止部への上記係止により接近する上記スリーブの外縁と上記内襟部の上面に挟まれて弾性変形し、上記スリーブの外縁と上記内襟部の上面との間を密閉するものであり、上記虫侵入防止部は、スポンジ等の弾力性を有する部材である。
【発明の効果】
【０００７】
本願の各発明は、平面視において環状に設けられた虫侵入防止部にて、器具本体とカバーとの間を確実に密閉し、虫の侵入を抑制した。そして、製造時、カバーを回転させることにより、簡単にカバーを器具本体へ取り付けることができる。このようなカバーの回転によっても、虫侵入防止部は、回転方向に沿って連続するものであるので、カバー或いは器具本体に擦られても簡単に剥離するものではない。特に、係止部に被係止部への乗り上げによる器具本体とカバーの接近にて、器具本体とカバーとから圧縮力を受けるまで、虫侵入防止部には大きな力が掛からず、より捲れ難いものとなっている。このため、カバーや器具本体の製造上、剥がれ防止や滑りをよくするための特段の工夫が不要である。
また、本願の請求項３の発明では、カバーの開口部において、器具本体との直接の接触は、専ら被係止部にて行うものとし、音鳴りの発生を抑制した。特に、本願の請求項１の発明では、カバーと器具本体との間に弾性変形部材としてスポンジを介在させることにより、制振作用により、音鳴りの発生を効果的に抑制することができる。
本願の請求項４の発明では、固定具をねじ込むことにより、工具によって分解しなければ、カバーを外せないものとし、家庭での利用者などにおいて簡単にカバーを外すことを防ぎ、照明器具の安全性を高めた。
【図面の簡単な説明】
【０００８】
【図１】（Ａ）は本願発明の一実施の形態に係る照明器具の縦断面図、（Ｂ）はその照明器具の一部切欠拡縦大断面図。
【図２】（Ａ）は上記照明器具のカバーを外し主として底部側を見せる斜視図、（Ｂ）は上記照明器具の放熱部材を外し主として上面部側を見せる一部切欠斜視図、（Ｃ）は図１（Ｂ）の照明器具のＸ−Ｘ断面図。
【図３】（Ａ）は上記照明器具の一部切欠拡要部縦大断面図、（Ｂ）は他の実施の形態を示す一部切欠拡要部縦大断面図。
【図４】（Ａ）は上記照明器具のカバー７０係止前の一部切欠略底面図、（Ｂ）は上記照明器具の器具本体の一部切欠拡要部略斜視図、（Ｃ）は上記照明器具の器具本体にカバーを装着した状態を示す一部切欠略底面図。
【図５】配光を説明する上記照明器具の縦断面図。
【図６】（Ａ）は上記照明器具の平面図、（Ｂ）は上記照明器具のＬＥＤモジュール１の平面図。
【発明を実施するための形態】
【０００９】
以下、図面に基づき本願発明の実施の形態を説明する。
説明の便宜上、各図において、Ｕは上方、Ｓは下方を示す。
図１（Ａ）へ示す通り、この照明器具は、ペンダント型の即ち天井から吊り下げる吊下げ型の屋内照明器具である。尚、図１（Ａ）（Ｂ）において、図面の煩雑を避けるため、ハッチングは省略している。
この照明器具は、複数のＬＥＤモジュール１と、複数の当該ＬＥＤモジュール１が取り付けられる器具本体２と、放熱部材３と、留め具５と、光拡散部７と、コード８と、虫侵入防止部とを備える。
各部の構成について順に説明する。
【００１０】
（ＬＥＤ１）
上記ＬＥＤモジュール１の夫々は、光源である１つ又は複数のＬＥＤ１０と、基板１１とを備えたモジュールである。当該ＬＥＤ１０は基板１１の表面に設けられている。図２（Ａ）及び図６（Ｂ）へ示す通り、個々のＬＥＤモジュール１の基板１１は、平面視略台形である。図６（Ｂ）へ示す通り、このＬＥＤモジュール１は等脚台形状であるが、正確には、本来台形として平行な一対の辺の一方となるべき短辺１６が、平面視凹の曲線である。但し、当該短辺１６は、通常の台形と同じく、直線としても実施できる。
複数のＬＥＤモジュール１は、上記放熱部材３にて器具本体２へ取り付けられる。
複数のＬＥＤモジュール１は、平面視環状に配列される。図６（Ｂ）へ示す通り、各基板１１には、複数の上記ＬＥＤ１０の他、モジュール間コネクタ１３や、電源コネクタ１４が設けられる。モジュール間コネクタ１３は、基板１１同士間に介される配線１２へ接続するものである。電源コネクタ１４は、電源からの配線（図示しない。）に接続するものである。図６（Ｂ）の１５は、ネジやボルトなどの固定具を通す穴を示している。
【００１１】
（器具本体２）
上記器具本体２は、図１及び図２へ示す通り、中心軸を上下とするプラスチック製の筒状体である。この実施の形態において、器具本体２は、ポリプロピレンにて形成されている。但し、器具本体２は、ポリプロピレンに限定するものではなく、軽量で照明器具として実用的な強度を備えるものであれば、ポリプロピレン以外の素材にて形成することが可能である。
図１（Ａ）へ示す通り、器具本体２である当該筒状体の高さは、その直径よりも小さい。上記器具本体２は、下端に底部を備え、上端が開口する。この上端開口部の外縁にはフランジ部２０が形成されている。フランジ部２０の上面に、シャーシ６が取り付けられて、器具本体２の上端開口部は、当該シャーシ６にて塞がれる。
フランジ部２０には、図１（Ｂ）及び図３（Ａ）へ示す通り、フランジ部２０の上面から下面に貫通する複数の窓部２１が設けられている。複数の窓部２１は、平面視において、上記上端開口部を取り囲むようフランジ部２０へ設けられている。
図１（Ｂ）及び図３（Ａ）へ示す通り、フランジ部２０の外縁２０ａには、側面視において、フランジ部２０の径外方向且つ下方に向け斜めに伸びるスリーブ２２が延設されている。フランジ部２０の下面には、側面視において、上記窓部２１とスリーブ２２との間から、下方へ伸びる筒状部２３が設けられている。この筒状部２３は、筒状部２３は、下端が解放されている。スリーブ２２と筒状部２３は、何れも、器具本体２が呈する上記筒状体と同心である。
【００１２】
図３（Ａ）へ示す通り、スリーブ２２の内周面と筒状部２３の外周面との間は、器具本体２の径の内外方向について、間隔が開けられており、両者の間の空間が、後述する被係止部２４の収容部ｋを構成する。即ち、側面視において、スリーブ２２は、上記空間を画する外壁部であり、筒状部２３は上記空間を画する内壁部である。
図３（Ａ）へ示す通り、スリーブ２２の内周面には、側面視において、スリーブ２２の径の内側へスリーブ２２の外縁２２ａと隣接して座部２６が設けられている。座部２６は、下端がスリーブ２２の上記外縁２２ａの上方に位置する。この実施の形態において、座部２６の下面は平らである。座部２６は、平面視において環状に形成されている。座部２６が呈する環は、器具本体２と同心である。
この実施の形態において、座部２６は、平面視において、同心の二重の円として、２つ設けられているが、座部２６は１つでも、３つ以上でも実施できる。
図３（Ａ）へ示す通り、側面視において、スリーブ２２の外縁２２ａと筒状部２３の下縁２３ａとの間、正確には上記座部２６と筒状部２３の下縁２３ａとの間には間隔が開けられており、当該座部２６と筒状部２３の下縁２３ａとの間は、上記収容部ｋの開口部ｋ１を形成する。この開口部ｋ１は、平面視において、筒状の器具本体と同心の環を呈する。
図２（Ｂ）及び図３（Ａ）へ示す通り、筒状部２３の外縁２３ａには、平面視において周方向の互いに異なる位置へ複数の係止部２４が設けられている。係止部２４は、夫々筒状部２３の外縁２３ａから筒状部２３の径外方向へ向けて突出する小片である。
係止部２４は、図２（Ｂ）及び図４へ示す通り、スリーブ２２の周方向ｒに沿って設けられ、上面をほぼ水平な面とする板状部である。
平面視において、スリーブ２２の周方向ｒについて、開口部ｋ１の上記係止部２４同士の間には、間隔が開けられ、収容部ｋ１において、平面視における当該係止部２４同士の間は、ガイド部ｋ２を構成する（図２（Ｂ）及び図４）。
図２（Ｂ）及び図４（Ｂ）へ示す通り、係止部２４におけるスリーブ２２周方向ｒの一端には、側面視においてスリーブ２２の周方向ｒに沿って当該一端から離れるにつれ下方へ向け斜めに伸びる傾斜部２５が延設されている。
尚、図２（Ｂ）は、説明の便宜上、接続用部４とスリーブ２２と筒状部２３の係止部２４以外の部分とを取り除いて描かれている。
【００１３】
上記シャーシ６は、器具本体２の上部に設けられて、器具本体２の上面を構成する、冷間圧延鋼板でできた円盤である。シャーシ６は、図１（Ａ）へ示す通り、器具本体２の上面を構成すべく、盤面を上下に向け水平に配されている。
前述の通り、上記シャーシ６は、器具本体２の上面部として、器具本体２のフランジ部２０に取り付けられて、器具本体２の上記開口部を塞ぐ。
詳しくは、側面視において、シャーシ６は、フランジ部２０の上記窓部２１に重なる部位が、下方に隆起部６１として、上方から窓部２１内へ入りこむ（図３（Ａ））。
【００１４】
（放熱部材３）
上記放熱部材３は、図１（Ａ）（Ｂ）及び図２（Ａ）に示す通り、上記の器具本体２に設けられた金属製の部材である。
放熱部材３は、平面視において、器具本体２を取り囲んで環状に配列された複数のアルミ製の構成板３０にて構成される。
側面視において、構成板３０の夫々は、上記ＬＥＤモジュール１を取り付ける取付用部３１と、当該取付用部３１を上記シャーシ６へ接続する接続用部３２とを備える。
上記取付用部３１の表面にＬＥＤモジュール１の上記基板１１の裏面が固定される。
構成板３０の夫々は、当該取付用部に取り付けられた上記ＬＥＤモジュール１の発する熱を放熱すると共に当該熱の一部を上記シャーシ６に伝導する。
側面視において、上記取付用部３１の夫々は、上記器具本体２への固定端を下端とし、上記シャーシ６に対して１０度〜４５度傾斜する。
平面視において、上記の通り、複数の構成板３０が環状に配され、側面視において、上記放熱部材３の下部は、構成板３０の上記取付用部３１の夫々を側面として下方に窄まる角錐台を呈する。
この実施の形態において、上記ＬＥＤモジュール１及び構成板３０は夫々８枚であり、放熱部材３は、８つ取付用部３１を備える。従って、平面視において、上記８枚の構成板３０が環状に配され、側面視において、上記放熱部材３の下部は、構成板３０の上記取付用部３１の夫々を側面として下方に窄まる八角錐台を呈する。放熱部材３の下端面は、正確には、平面視円形である。即ち、上記の逆八角錐台の各側面の下辺は、直線ではなく円弧である。
そして、側面視において、取付用部３１の夫々は、一端を下端とし、当該下端が器具本体２の底面の縁において器具本体２へ固定されている。取付用部３１の夫々は、上記の通り八角錐台の側面とされることによって、側面視において、他の一端を上端として、当該上端を上記下端の上方であって、構成板３０が呈する環の外側へ向ける。
【００１５】
上記角度に傾斜する取付用部３１の夫々に、各ＬＥＤモジュール１の基板１１裏面を固定する。ネジやボルト・ナットといった固定具を基板１１の前述の穴１５へ通すことにより、基板１１の裏面を取付用部３１の表面へ密着するように固定することができる。
上記の固定により、側面視において、当該基板１１をシャーシ６に対して１０度〜４５度傾斜させることができる。即ち、側面視において、部屋の床面に対し、当該基板１１を１０度〜４５度傾斜させることができる。
また、取付用部３１の夫々に、各ＬＥＤモジュール１の基板１１裏面を固定することによって、平面視において、上記複数のＬＥＤモジュール１を上記器具本体２へ環状に配列することができる。
基板１１に対してＬＥＤ１０の光軸は、側面視において、９０度の角度をなすものであり、基板１１の上記傾斜によって、側面視において、当該配列の環の外側下方に向けＬＥＤ１０の光軸を斜めとする。即ち、側面視において、部屋の床面に対し、ＬＥＤ１０の光軸を傾斜させることができる。
尚、図２（Ａ）において、八角錐台の手前の２つの側面は、ＬＥＤモジュール１を外された状態に描かれており、２枚の構成板３０の取付用部３１が露出している。図２（Ａ）へ示す通り、構成板３０の取付板３１はその表裏に貫通する貫通部３１を備える。この貫通部３１へ、電源と電気的に連絡する配線や、隣り合う基板１１同士を接続する配線１２が通される。
【００１６】
側面視において、上記構成板３０の接続用部３２は、取付用部３１の上端から、取付用部３１と反対に傾斜して上方へ伸びる。即ち、側面視において、接続用部３２と取付用部３１とは、くの字を呈する。更に、図１（Ｂ）及び図２（Ａ）へ示す通り、側面視において、接続用部３２の上端部３３は、接続用部３２の下部に対し屈曲して、フランジ部２０の径内方向に向け横方向に伸びる。
接続用部３２の当該上端部３３は、フランジ部２０の下方から、フランジ部２０の上記窓部２１へ配置される。当該配置によって、接続用部３２の上端部３３は、窓部２１にてシャーシ６の下面に沿わされる。
接続用部３２の上端部３３は、シャーシ６の前述の隆起部６１に、窓部２１を通じて、重ねられ、前記留め具５が通される。
図１（Ｂ）及び図３（Ａ）へ示す通り、接続用部３２の内側面には上下に伸びる複数の隆起３４が形成されている。この隆起３４は、接続用部３２を補強すると共に接続用部３２の表面積を大きくして、放熱効果を高める。
【００１７】
（留め具５）
留め具５は、ネジやピン、ボルト・ナットといった周知の固定手段にて実施すればよい。上記の通り窓部２１を通じて留め具５をシャーシ６と接続用部３２の上端部３３へ通すことにより、シャーシ６へ接続用部３２を固定すると共に、シャーシ６と接続用部３２を器具本体２へ固定する。また、器具本体２へ接続用部３２を固定することにより、構成板３０の上端を器具本体２へ固定することになる。
上記構成板３０のシャーシ６への固定により、構成板３０が受けたＬＥＤモジュール１の熱の一部が、構成板３０からシャーシ６へ伝えられる。
尚、この実施の形態では、シャーシ６の器具本体２への固定をより確実にするために、上記留め具５とは別に、シャーシ６の取り付け専用の、上記接続用部３２の固定に関与しない副留め具５１を設けている（図１（Ａ）及び図６（Ａ））。
【００１８】
（コード８）
上記のコード８は、図１（Ａ）へ示す通り、天井から下方に間隔を開けて、シャーシ６と、当該シャーシ６が設けられた器具本体２を吊るす。
また、コード８は、内部に電気を供給する電線を有するものであり、上記の通り、シャーシ６と共に器具本体２を支持するほか、器具本体２に設けられた前述の交流・直流変換機や整流器といった電気機器（図示しない）を介して上記配線１２（図２（Ａ））と接続されて、ＬＥＤモジュール１へ電源を供給する。
コード８の上端側には、引掛部８１が設けられている。天井の電源供給部（引っ掛けシーリング）に、当該引掛部８１へ引っ掛けることにより、コード８の上端を、天井へ固定すると共に電源から照明器具へ電気を供給することができる。上記の接続固定具８２と引掛部８１は、周知の結合構造を採るものを採用する。
コード８が、照明器具を天井より下方に配置することにより、シャーシ６は、放熱部材３から伝達された熱を、天井と照明器具との間の空間を利用して、円滑に空気中へ放散することができる。
具体的には、ＬＥＤモジュール１の熱は、放熱部材３表面から直接空気中へ放出されると共に、図１（Ａ）において太字の矢印で示す通り、構成板３０の取付用部３１から接続用部３２を経て、シャーシ６へ伝わり、シャーシ６表面から照明器具の上方の空間へ向け放射される。図１（Ａ）において、煩雑を避けるため、白抜きの矢印は、側面視において、照明器具の左側にのみ付し、照明器具の右側については省略している。
上記の通りコード８は、照明器具の天井への支持と、電気の供給を兼ねるものとすることにより、照明器具の取り付けや配線を纏まりのよいものとすることができる。纏まりの良い分照明器具の設置も簡単に行える。
但し、当該電源の供給は、コード８とは別に設けられた電線によるものとし、コード８は専らシャーシ６や器具本体を支持するものを除外するものではない。
更に、この実施の形態では、キャップ８０がシャーシ６の上面中央に取り付けられる。このキャップ８０は、錐状の中空の部材であり、コード８の下端側を覆う。
この実の形態において、キャップ８０は、プラスチック製の部材である。この他、シャーシ６と共に放熱効果を促進するために、金属製の部材にてキャップ８０を形成してもよい。
【００１９】
（光拡散部７）
この照明器具は、器具本体２の下部を覆うカバー７０を備える。
カバー７０は、光を拡散して透過することができる、透明又は半透明のプラスチックにて形成されている。この実施の形態において、カバー７０は、白色、特に乳半色のアクリルにて形成されている。但し、ＬＥＤの発する光を拡散して透過するものであれば、このような素材に限定するものではなく、他の素材にてカバー７０を形成することが可能である。
カバー７０は、前記光拡散部７と、中央部７２と、内襟部７８とを備える。
光拡散部７は、平面視において、取付用部３にて器具本体２へ取り付けられて上記環状に配列されたＬＥＤモジュール１を覆う環状のケースである。ケースである光拡散部７の上部は開口する。
中央部７２は、平面視において光拡散部７が呈する環の内側を塞ぐように、光拡散部７と一体に形成された板状部である。中央部７２は、図１（Ａ）へ示す通り、径の中心を最深部として、側面視において、上方へ後退する凹曲面を呈する。
【００２０】
上記光拡散部７は、ＬＥＤ１からの直接光を拡散して照明器具の外部へ透過する。
平面視において、光拡散部７の外径、即ち、カバー７０の最大径は、上記スリーブ２２の径よりも大きい。
光拡散部７は、図１（Ｂ）へ示す通り、側面視においてＬＥＤ１０の光軸とほぼ直交する主透過部７１と、上方透過部７３とを備える。
平面視において、主透過部７１と上方透過部７３は、夫々環状に形成されている。
平面視において、上記主透過部７１は機器本体２の径方向の外側に位置する。
上方透過部７３は、主透過部７１の径の内外方向について、主透過部７１の外側に設けられている。上方透過部７３は、主透過部７１と一体に設けられる。上方透過部７３は、平面視において光拡散部７の外径部となる主透過部７１の外縁から、内側に折り返された状態に形成されて、側面視において主透過部７１の上方へ位置する。
カバー７０を器具本体２の下方へ、器具本体２と同心に配置した際、平面視において、上方透過部７３は、前記スリーブ２２の外側に位置するものであり、側面視において、上方透過部７３は、スリーブ２２と主透過部７１との間を覆う傾斜部位である。
側面視において、上方透過部７３は、ＬＥＤ１からの直接光を拡散して照明器具の外部へ透過すると共に主透過７１の内面にて反射しＬＥＤ１の光をスリーブ２２の外側斜め上方へ向けて透過する。
上記の中央部７２は、器具本体２の真下に位置する。中央部７２の上面と器具本体２底部との間に間隔が設けられている。中央部７２は、ＬＥＤ１０から直接・間接的に器具本体２の真下に向かって斜め下方に進行する光を拡散してカバー７０外部へ透過する。
【００２１】
内襟部７８は、図２（Ｃ）及び図３（Ａ）へ示す通り、側面視において、光拡散部７の上方透過部７２の上端から、上面を水平にして、光拡散部７の径内方向へ向けて伸びる、平面視環状の板状部である。
内襟部７８の内径部には、内襟部７８の径内側方向へ突出する複数の被係止部７５が設けられている。被係止部７５同士は、平面視において、内襟部７８の周方向について、間隔を開けて設けられている。内襟部７８の周方向における、被係止部７５同士の当該間隔区間を以下間欠部７６と呼ぶ。
平面視において、器具本体２と同心となるように、器具本体２の下方へカバー７０を配置した状態において、スリーブ２２の外縁２２ａは、内襟部７８上面の上方に位置し、上記各被係止部７５は、器具本体２のスリーブ２２の径内外方向について、前記開口部ｋ１内に位置する。上記配置状態において、平面視における被係止部７５の器具本体２の中心からの距離は、平面視における係止部２４の器具本体２の中心からの距離と等しい。
被係止部７５は、上方に隆起する起立部７７を備える。
図２（Ｂ）及び図４（Ａ）は、カバー７０を、器具本体２へ固定する前の状態を示している。
図２（Ｂ）及び図４（Ａ）へ示す通り、カバー７０を器具本体２の下部へ配置し、収容部ｋにおける前記ガイド部ｋ２の開口部ｋ１から上記収容部ｋ内へ被係止部７５を挿入する。カバー７０を器具本体２の周方向へ回転させて、上記間欠部７６へ、前記の傾斜部２５及び係止部２４を、当該順に通す。ガイド部ｋ２は、上記回転に伴い、被係止部７５を係止部２４へ向けてガイドする。
図４（Ｂ）に被係止部７５を一点鎖線で示す。この図４（Ｂ）へ示す通り、傾斜部２５へ到達した被係止部７５は、傾斜部２５に案内されて、図４（Ｃ）へ示す通り、係止部２４の上面へ移動する。
上記スリーブ２２内部において、上記傾斜部２５側を入口側とし係止部２４を挟んで傾斜部２５と反対側は、筒状部２３の外壁の一部にて行き止まりとなっている。
被係止部７５の係止部２４上面への移行によって、被係止部７５の係止部２４への係止は完了する。
上記の通り、被係止部７５を係止部２４へ係止することにより、カバー７０を器具本体２へ仮止めすることができる。
【００２２】
上記仮止め後、図２（Ｃ）及び図３（Ａ）へ示す通り、スリーブ２２へ、ネジやボルトといった、ねじ山を備えた上記固定具４をねじ込む。この固定具４によって、被係止部７５が係止部２４の上面から上記入口側へ後退するのを阻止する。
固定具は、工具によって取り外ことができるものである。即ち、分解しなければ、カバー７０を器具本体から外すことができない。
上記の係止部２４と被係止部７５と収容部ｋと固定具４とが、カバー７０を器具本体２へ固定する固定機構を構成する。
上記固定具４の装着にて、カバー７０を器具本体２から、ユーザーサイドにて外せないようにし、ユーザーが加熱したＬＥＤの基板１１へ触れるを防ぐことができる。
但し、上記固定機構は、被係止部７５を係止部２４へ係止した後被係止部７５の後戻りを阻止する周知の嵌め殺しの構成を、このような固定具４に代えて、或いは固定具４と共に設けるものとしても実施できる。
被係止部２４の前記起立部７７先端は、スリーブ２２の内面に当接する。当該当接により、被係止部７５の係止部２４への係止において、カバー７０は、上記被係止部７５以外の部分で、器具本体２と接触しない。
即ち、起立部７７の上記当接により、内襟部７８の上面と、スリーブ２２の外縁２３ａとの間には、隙間が開けられる。
【００２３】
（虫侵入防止部）
上記の座部２６の下面に、虫侵入防止部２５が設けられる。虫侵入防止部２５は、押圧されることにより弾性変形する弾性変形部材である。上記虫侵入防止部２５は、上記スリーブ２２の外縁２２ａに沿って当該外縁２２ａ又は上記起立部７７よりも当該外縁２２ａ側に設けられ、座部２６に沿って平面視環状に配された部材である。
座部２６に設けられた虫侵入防止部２５の下端は、スリーブ２２の外縁２２ａよりも下方に突出する。
虫侵入防止部２５には、スポンジやゴム、ウレタンといった弾力性を有するクッション材を採用することができる。この実施の形態では、虫侵入防止部２５にはスポンジを採用する。
上記虫侵入防止部２５は、上記カバー７０と上記器具本体２との間に介され、係止部２４への被係止部７５の上記係止により、上記カバー７０の内襟部７８と上記器具本体２のスリーブ２２の外縁２２ａとに挟まれて弾性変形し、上記カバー７０と上記器具本体２と間を密閉し、スリーブ２２外縁２２ａとカバー７０の上記内襟部７８との間を通って虫が外部からカバー７０内に侵入するのを防止する。
また、弾性変形した虫侵入防止部にて、被係止部７５は係止部２４へ付勢され、係止がより強固なものとされる。
カバー７０と器具本体２とを異なる素材にて形成すると、熱膨張率・熱収縮率の違いにより、カバー７０と器具本体２の収縮や膨張の際に、器具本体２とカバー７０との間において、音鳴りが生じる。
器具本体２とカバー７０との間に上記虫侵入防止部２５を介すると共に、起立部７７により、被係止部７５の係止部２４への係止中、カバー７０の上端開口部において、カバー７０を上記被係止部７５以外の部分で、器具本体２と接触させないことにより、上記音鳴りを抑制することができる。虫侵入防止部２５にスポンジを採用するのが、音鳴り防止に効果的である。
【００２４】
（配光について）
図５を用いて、本願発明に係る上記照明器具の配光について説明する。図５に示す照明器具は、側面視において、ＬＥＤモジュール１の基板１１を、シャーシ６に対して、言い換えれば床面に対して２５度の角度傾斜させたものである。
図５では、直接光のみ示し、反射光については省略する。
本願発明の配光を実線の直線で示す。また、基板１１を水平（傾斜角度０度）に配置する、従来の照明器具の配光を点線で示す。また、比較例として、基板１１を鉛直に立てた状態（９０度）の配光を一点鎖線で示す。上記実線同士、点線同士、一点鎖線同士に挟まれた、本願、従来例、比較例夫々の配光各は、何れも１２０度である。
図５へ示す通り、カバー内の反射を除いた、直接光の配光について見れば、本願発明に係る照明器具は、ＬＥＤ同士で重なるところが少なく、照明器具のほぼ真横まで配光されている。
これに対して、従来の基板１１を水平とするものは、ＬＥＤ間の配光の重なりが本願の照明器具に比して極めて大きく、横方向には殆ど配光されていない。
また、上記比較例では、真横や上方への配光がなされているものの、肝心の照明器具の真下については配光されず、中抜け状態となっている。
【００２５】
（変更例）
図３（Ｂ）へ示す通り、虫侵入防止部２５は、スリーブ２２の外縁２２ａの下面を覆うように、スリーブ２２へ設けるものとしても実施できる。
図１〜図３へ示す各実施の形態において、放熱部材３は、複数の構成板３０にて分割して形成されたものであったが、一つの金属部材で一体に形成するものとしてもよい。
また、放熱部材３の下部は、上記の実施の形態において、図２（Ａ）へ示す通り、八角錐台を呈するものとした。取付用部３は、この他、三角〜七角錐台或いは九角錐以上の多角錐台を呈するものとしても実施できる。更には、放熱部材３の下部は、円錐台を呈するものとしても実施できる。
また、放熱部材３の構成板３０に上記接続用部３２を設けず、取付用部３１を直接シャーシ６へ接続するものとしても実施できる。更には、放熱部材３をシャーシ６と一体に形成するものとしてもよい。放熱部材３をシャーシ６と一体に形成する場合、両者を共にアルミ又は冷間圧延鋼板にて形成するものとすればよい。
放熱部材３は、アルミ製のものに限定するものではなく、ＬＥＤモジュール１の熱を伝導し放熱するに適した他の金属を用いて実施することも可能である。
上記図示した実施の形態において、開口部ｋ１は、平面視環状に形成されたものを示したが、弧状であっても実施できる。
また、上記おいて、係止部２４は、筒状部２３へ設けられて筒状部２３の径外方向へ突出するものとした。この他、係止部２４は、スリーブ２２へ設けられてスリーブ２２の径内方向へ突出するものとしてもよい。
係止部２４と被係止部７５については、互いの構成が、図示した実施の形態と逆であっても実施できる。係止部２４と被係止部７５を図示した実施の形態と逆にする場合、被係止部７５の上記収容部ｋを、カバー７０側に形成すればよい。
更に、上記各実施の形態において、虫侵入防止部２５は、器具本体２のフランジ２２へ固定するものとしたが、カバー７０側へ固定するものとしても実施できる。
【符号の説明】
【００２６】
１  ＬＥＤ  
２  器具本体
３  放熱部材
４  固定具
５  留め具
６  シャーシ
【図１】
2013114868.tif 000003
【図２】
2013114868.tif 000004
【図３】
2013114868.tif 000005
【図４】
2013114868.tif 000006
【図５】
2013114868.tif 000007
【図６】
2013114868.tif 000008
【手続補正書】
【提出日】平成24年4月27日(2012.4.27)
【手続補正１】
【補正対象書類名】特許請求の範囲
【補正対象項目名】全文
【補正方法】変更
【補正の内容】
【特許請求の範囲】
【請求項１】
天井から吊下げられて室内を照らす吊り下げ型の照明器具において、
光源である複数のＬＥＤと、当該ＬＥＤが取り付けられる器具本体と、当該器具本体へ取り付けられてＬＥＤを覆うカバーと、器具本体へカバーを固定する固定機構と、カバー内へ虫が侵入する  のを防止する虫侵入防止部とを備え、
上記カバーの上端は、上端開口部にて開口し、上記器具の下方から上記器具本体へ取り付けられて、上記光源を覆うものであり、
上記固定機構は、係止部と、被係止部と、収容部と、固定具とによって構成され、上記カバーを上記器具本体に対し回転させることにより、上記カバーを上記器具本体へ取り付けるものであり、
上記器具本体は、中心軸  を上下とする筒状体であり、下端に底部を備え、
上記複数のＬＥＤよりも上方において、上記器具本体の外周には、上記器具本体と同心のスリーブと筒状部とが、器具本体と一体に設けられており、
上記スリーブは、平面視において器具本体を中心として器具本体の径外方向であり且つ下方へ向けて突出するものであり、
上記筒状部は、上記スリーブの径の内側に設けられ、
上記収容部は、上記スリーブと上記筒状部との間に設けられた空間であり、上記スリーブの外縁と上記筒状部の下縁との間が当該収容部の開口部をなし、
上記係止部は、上記筒状部の外縁に複数設けられ、上記筒状部の下縁から上記筒状部の径の外側に向けて突出するものであり、
複数の上記係止部同士は、上記スリーブの周方向について間隔を開けて設けられ、
上記スリーブの周方向について、収容部の上記開口部における当該間隔を開けられた区間が、ガイド部を構成し、
上記係止部における筒状部の周方向の一端には、筒状部の外周に沿って当該一端から離れるにつれ下方へ斜めに伸びる傾斜部が延設され、
上記カバーは、光拡散部と、中央部と、内襟部とを備え、
上記光拡散部は、器具本体に設けられた上記ＬＥＤの収容空間を覆い、且つ、ＬＥＤの光を拡散してカバーの外部へ透過する平面視環状のケースであり、
上記光拡散部の径は、上記スリーブの径よりも大きく、
上記中央部は，環状の上記光拡散部が呈する環の内側に設けられ、且つ、上記光拡散部と一体に形成されて光拡散部の呈する環の内側を塞ぎ、
上記内襟部は、上記光拡散部の外縁から、上記光拡散部の径内側に向けて、上記光拡散部と一体に形成された平面視環状の板状部であり、
上記被係止部は、上記内襟部の内径部に複数設けられ、上記内襟部の径の内側に向けて突出するものであり、
複数の被係止部同士は、上記内襟部の周方向について間隔を開けて配置され、
上記被係止部の夫々は、上方に隆起する起立部を備え、
上記カバーを上記器具本体の下面へ上記器具本体と同心に配置した状態において、平面視における被係止部の器具本体の中心からの距離は、平面視における係止部の器具本体の中心からの距離と等しいものであり、
上記カバーを上記器具本体の下面へ上記器具本体と同心に配置し、上記ガイド部から上記収容部へ被係止部を収容した状態にして、上記カバーを器具本体に対し回転させることにより、上記ガイド部にガイドされた被係止部は、上記傾斜部を経て係止部の上面へ移動し、
上記スリーブ内において、上記傾斜部側を入口側とし係止部を挟んで上記傾斜部と反対側は、行き止まりとなっており、
被係止部の上記移動により、上記起立部の上端が、収容部内にて、上記スリーブの下面と当接して、上記スリーブの外縁がカバーの上記内襟部上面へ接触するのを阻止し、
上記固定具は、ねじ山を備えた部材であり、上記固定具は、上記移動にて被係止部の係止部へ係止が完了した後、上記スリーブの外部からねじ込まれて、被係止部が係止部から上記入口側へ後退するのを阻止するものであり、上記固定具は、工具によって取り外しできるものであり、
上記虫侵入防止部は、上記スリーブの外縁に沿って当該外縁又は上記起立部よりも当該外縁側に設けられた、平面視環状のスポンジであり、上記虫侵入防止部の下端は、スリーブの上記外縁よりも下方に突出するものであり、
上記カバーの器具本体への取り付けによって、虫侵入防止部は、上記スリーブの外縁と、カバーの上記内襟部上面とに挟まれて弾性変形し、上記スリーブの外縁と、カバーの上記内襟部上面との間の隙間を密閉するものであり、
弾性変形した上記虫侵入防止部の付勢によって、上記被係止部は上記係止部上面へ押圧されるものであることを特徴とする照明器具。
【請求項２】
屋内又は屋外に設置されて周囲を照らす照明器具であって、
光源と、当該光源が取り付けられる器具本体と、当該器具本体へ取り付けられて光源を覆うカバーと、当該カバーを上記器具本体へ取り付ける固定機構と、当該器具本体と当該カバーとの間からカバー内へ虫が侵入するのを防止する虫侵入防止部とを備え、
上記カバーは、上記器具本体を臨む側に開口する一端開口部を備え、上記カバーは、当該一端開口部側を上記器具本体へ向けて上記器具本体へ取り付けられて、上記光源を覆うものであり、
上記カバーは、上方に上記一端開口部を備え、上記器具本体の下方から器具本体へ取り付けられるものであり、
上記固定機構は、回転の中心軸の軸方向を上下方向として、上記カバーを上記器具本体に対し回転させることにより、上記カバーを上記器具本体へ取り付けることを可能とするものであり、
上記固定機構は、上記器具本体と上記カバーの一方に設けられた係止部と、
上記器具本体と上記カバーのうち係止部が設けられた当該一方に形成されたガイド部と、
器具本体とカバーの他の一方に設けられて係止部に係止される被係止部とを備え、
上記被係止部は、上記回転の中心からの距離が、上記係止部の上記回転の中心からの距離と同じであり、
上記ガイド部は、上記回転の方向について、少なくとも係止部と離れた位置から係止部に至るまで設けられて、被係止部を係止部へ案内するものであり、
上記係止部における上記回転の方向の一端には、上記回転の方向に沿って当該一端から離れるにつれ下方へ斜めに伸びる傾斜部が延設され、
上記カバーを器具本体に対し回転させることにより、上記ガイド部にガイドされた被係止部は、上記傾斜部を経て係止部の上面へ移動し、
上記被係止部が上記係止部の上に乗り上げることにより、上記被係止部が係止部へ係止され、且つ、上記器具本体へ上記カバーが接近するものであり、
上記被係止部をガイド部へ合わせることにより、上記カバーの回転にて、上記被係止部を上記係止部へ係止することができ、被係止部の係止部への当該係止により、上記カバーを上記器具本体へ取り付けることができ、
上記虫侵入防止部は、上記一端開口部の縁或いは当該縁の外側において上記カバーと上記器具本体との間に介される弾性変形部材であり、上記回転方向について連続して配置された平面視環状の部材であり、
上記弾性変形部材は、係止部への被係止部の上記係止により、上記カバーと上記器具本体とに挟まれて弾性変形し、上記カバーと上記器具本体と間を密閉するものであり、
弾性変形した弾性変形部材にて、被係止部は係止部へ付勢されるものであることを特徴とする照明器具。
【請求項３】
上記係止部が設けられた、上記器具本体と上記カバーの一方に、上記被係止部の収容部が設けられ、
上記収容部は、上記回転の中心を中心として弧状に伸びる或いは上記回転の中心を中心とする環状の開口部を備え、
上記係止部は、上記開口部の径の内外方向及び周方向について、上記開口部内に配置され、
上記開口部は、上記周方向について、上記係止部に隣接して当該係止部が形成されない区間を上記ガイド部として備え、
上記被係止部は、上記収容部の奥行き方向に隆起する起立部を備え、
上記カバーの上記器具本体への取り付けにおいて、上記起立部が収容部内にて収容部を画する面と当接して、上記カバーの上端開口部において、係止部以外の部位が上記器具本体へ直接接触するのを防ぎ、
上記カバーは、上記上端開口部において、上記被係止部のみにて、器具本体と直接接触するものであることを特徴とする請求項２記載の照明器具。
【請求項４】
上記器具本体は、上記光源が取り付けられた部位よりも上方にあって、上記器具本体の側面から突出するスリーブを備え、
上記スリーブは、側面視において、上記器具本体の径外方向に進むにつれて下方へ傾斜して突出するものであり、
上記器具本体側面と上記スリーブとの間の空間が、上記収容部を構成し、
上記係止部は、上記光源と上記スリーブの間にて上記器具本体側面から器具本体の径外方向へ突出するものであり、
上記固定機構は、固定具を備え、
上記固定具は、ねじ山を備えた部材であり、
上記収容部内において、上記被係止部が係止部へ乗り上げた先は行き止まりとなっており、
上記固定具は、上記移動にて被係止部の係止部へ係止が完了した後、上記スリーブの外部からねじ込まれて、被係止部が係止部の上から後退するのを阻止するものであり、
上記固定具は、工具によって取り外しできるものであることを特徴とする請求項２又は３記載の照明器具。
【請求項５】
カバーの上記回転は、平面視において上記器具本体の中心を中心として行われ、
平面視において、複数の上記係止部同士は、間隔を開けて設けられ、上記収容部における上記係止部間の区間が、上記カイド部を構成し、
カバー上端は、カバーの径の内側方向へ突出する環状の内襟部を備え、当該内襟部の内径部が上記一端開口部を規定し、
上記被係止部は、上記内襟部の内径部から、カバーの径内側へ向け突出するものであり、
平面視において、複数の上記被係止部同士は、間隔を開けて設けられ、
上記虫侵入防止部は、側面視において、上記スリーブの外縁と上記内襟部上面との間に介され、被係止部の係止部への上記係止により接近する上記スリーブの外縁と上記内襟部の上面に挟まれて弾性変形し、上記スリーブの外縁と上記内襟部の上面との間を密閉するものであり、
上記虫侵入防止部は、スポンジ等の弾力性を有する部材であることを特徴とする請求項４の何れかに記載の照明器具。
【手続補正２】
【補正対象書類名】明細書
【補正対象項目名】全文
【補正方法】変更
【補正の内容】
【発明の詳細な説明】
【技術分野】
【０００１】
本願発明は、照明器具に関するものである。
【背景技術】
【０００２】
設置されて周囲を照らす照明器具は、屋内、屋外を問わず、光源を覆うカバー内への虫の侵入に苦慮する。
近年では、省エネや、蛍光灯に比べて寿命の長いことから、光源にＬＥＤを採用するものが普及しつつある。
特に、ＬＥＤの光の特性として、虫が好む４００ｎｍの波長をほとんど含まないので、虫が寄りにくいとの期待があった。
しかし、実際に照明器具にＬＥＤを使用すると、熱を発生するので、このような熱に惹かれて虫が寄ってきてしまう。
このよう背景から、特許文献１には、虫の侵入を防止する手段として、発泡樹脂であるスポンジを備えた照明器具が提案されている。
【０００３】
この特許文献１に示された照明器具は、光源と、この光源と電気的に接続してこれを制御する制御部と、この制御部及び光源を設けたシャーシ本体と、前記シャーシ本体の前記光源側で該光源を覆うために上部のみが開口されたカバーを有した照明器具において、前記シャーシ本体の外周縁部に下方に折り返した折返面を形成し、前記カバーの前記開口周縁に上方へ立ち上がる立設面を形成し、前記カバーの開口周縁部と前記立設面とに接触する部位に、前記シャーシ本体の前記折返面と弾性変形した状態で接触する侵入阻止部材を設けたものである。特許文献１において、上記侵入防止部材として、発砲樹脂であるスポンジが示されている。
上記構成によって、特許文献１において、シャーシ本体への上記折返面の形成により、シャーシ本体の歪みを抑えた旨その効果とする。即ち、特許文献１は、シャーシ本体の熱膨張や変形による隙間の発生を抑えて、当該隙間から虫が侵入するのを防止しようとするものである。特に、上記折返面と立設面との隙間に弾性変形部材即ち上記スポンジを、侵入防止部材として設けることで、上記では対処できない隙間の発生に対応しようとするものである。
【先行技術文献】
【特許文献】
【０００４】
【特許文献１】特開２００７−１０９４３６号公報
【発明の概要】
【発明が解決しようとする課題】
【０００５】
しかし、この公報のものでは、カバーをシャーシ本体へ固定する具体的な手段が示されていない。
例えば、カバーのシャーシ本体への固定に際して、特許文献１の図３のシャーシ本体下方から上方へカバーを移動させて行くものとすると、折返面３ａの下端がカバー４へ突き当たるまで、スポンジ３ａは、当該折返面３ａの内側面に擦られることになる。このため、フィルムを、スポンジ３ａに設けるといった、スポンジ３ａの滑りを良くする工夫を必要とする。
また、上記摩擦によってスポンジが捲れて剥がれないように、上記延設面４ｂを形成して、スポンジを押さえる必要がある。
更に、スポンジは、変形によって隙間が生じた場合に対応するためのものであり、本来、折返面の形成にて上記隙間を排除することを主眼とするものである。このため、特許文献１では、シャーシ本体とカバーとの接触を確実にすることが前提とされる。
密閉構造において、このような素材の異なる部材が接触することにより、防虫を可能とすることはできても、光源の熱を受けて、カバーとシャーシ本体の素材間の、熱の膨張率・収縮率の違いで、収縮音「音鳴り」が発生する。
更に、一般的な照明器具では、光源の交換などのために、カバーを簡単に外すことができる固定構造を採用している。このため、利用者において、加熱したＬＥＤやＬＥＤの基板に触れて火傷を負うという危惧がある。
本願発明は、照明器具において、カバー内への虫の侵入を防ぐことを目的とする。
また、本願発明は、照明器具使用時の光源の発する熱によって、カバーや器具本体の収縮・膨張にて、上記音鳴りの発生を防止することを目的とする。
更に、本願発明は、利用者において簡単にカバーを外すことができない照明器具の提供を目的とする。
本願発明は、特に、複雑な構成を必要とせずに弾性変形部材を確実に器具本体へ固定すると共に上記虫侵入の防止をより確実に行うことをその目的とする。
【課題を解決するための手段】
【０００６】
本願の請求項１の発明は、天井から吊下げられて室内を照らす吊り下げ型の照明器具について、次の構成を採るものを提供する。
即ち、この照明器具は、光源である複数のＬＥＤと、当該ＬＥＤが取り付けられる器具本体と、当該器具本体へ取り付けられてＬＥＤを覆うカバーと、器具本体へカバーを固定する固定機構と、カバー内へ虫が侵入するのを防止する虫侵入防止部とを備え、上記カバーの上端は、上端開口部にて開口し、上記器具の下方から上記器具本体へ取り付けられて、上記光源を覆うものであり、上記固定機構は、係止部と、被係止部と、収容部と、固定具とによって構成され、上記カバーを上記器具本体に対し回転させることにより、上記カバーを上記器具本体へ取り付けるものであり、上記器具本体は、中心軸を上下とする筒状体であり、下端に底部を備え、上記複数のＬＥＤよりも上方において、上記器具本体の外周には、上記器具本体と同心のスリーブと筒状部とが、器具本体と一体に設けられており、上記スリーブは、平面視において器具本体を中心として器具本体の径外方向であり且つ下方へ向けて突出するものであり、上記筒状部は、上記スリーブの径の内側に設けられ、上記収容部は、上記スリーブと上記筒状部との間に設けられた空間であり、上記スリーブの外縁と上記筒状部の下縁との間が当該収容部の開口部をなし、上記係止部は、上記筒状部の外縁に複数設けられ、上記筒状部の下縁から上記筒状部の径の外側に向けて突出するものであり、複数の上記係止部同士は、上記スリーブの周方向について間隔を開けて設けられ、上記スリーブの周方向について、収容部の上記開口部における当該間隔を開けられた区間が、ガイド部を構成し、上記係止部における筒状部の周方向の一端には、筒状部の外周に沿って当該一端から離れるにつれ下方へ斜めに伸びる傾斜部が延設され、上記カバーは、光拡散部と、中央部と、内襟部とを備え、上記光拡散部は、器具本体に設けられた上記ＬＥＤの収容空間を覆い、且つ、ＬＥＤの光を拡散してカバーの外部へ透過する平面視環状のケースであり、上記光拡散部の径は、上記スリーブの径よりも大きく、
上記中央部は，環状の上記光拡散部が呈する環の内側に設けられ、且つ、上記光拡散部と一体に形成されて光拡散部の呈する環の内側を塞ぎ、上記内襟部は、上記光拡散部の外縁から、上記光拡散部の径内側に向けて、上記光拡散部と一体に形成された平面視環状の板状部であり、上記被係止部は、上記内襟部の内径部に複数設けられ、上記内襟部の径の内側に向けて突出するものであり、複数の被係止部同士は、上記内襟部の周方向について間隔を開けて配置され、上記被係止部の夫々は、上方に隆起する起立部を備え、上記カバーを上記器具本体の下面へ上記器具本体と同心に配置した状態において、平面視における被係止部の器具本体の中心からの距離は、平面視における係止部の器具本体の中心からの距離と等しいものであり、上記カバーを上記器具本体の下面へ上記器具本体と同心に配置し、上記ガイド部から上記収容部へ被係止部を収容した状態にして、上記カバーを器具本体に対し回転させることにより、上記ガイド部にガイドされた被係止部は、上記傾斜部を経て係止部の上面へ移動し、上記スリーブ内において、上記傾斜部側を入口側とし係止部を挟んで上記傾斜部と反対側は、行き止まりとなっており、被係止部の上記移動により、上記起立部の上端が、収容部内にて、上記スリーブの下面と当接して、上記スリーブの外縁がカバーの上記内襟部上面へ接触するのを阻止し、上記固定具は、ねじ山を備えた部材であり、上記固定具は、上記移動にて被係止部の係止部へ係止が完了した後、上記スリーブの外部からねじ込まれて、被係止部が係止部から上記入口側へ後退するのを阻止するものであり、上記固定具は、工具によって取り外しできるものであり、上記虫侵入防止部は、上記スリーブの外縁に沿って当該外縁又は上記起立部よりも当該外縁側に設けられた、平面視環状のスポンジであり、上記虫侵入防止部の下端は、スリーブの上記外縁よりも下方に突出するものであり、上記カバーの器具本体への取り付けによって、虫侵入防止部は、上記スリーブの外縁と、カバーの上記内襟部上面とに挟まれて弾性変形し、上記スリーブの外縁と、カバーの上記内襟部上面との間の隙間を密閉するものであり、弾性変形した上記虫侵入防止部の付勢によって、上記被係止部は上記係止部上面へ押圧される。
本願の請求項２の発明は、屋内又は屋外に設置されて周囲を照らす照明器具について、次の構成を採るものを提供する。
即ち、この照明器具は、光源と、当該光源が取り付けられる器具本体と、当該器具本体へ取り付けられて光源を覆うカバーと、当該カバーを上記器具本体へ取り付ける固定機構と、当該器具本体と当該カバーとの間からカバー内へ虫が侵入するのを防止する虫侵入防止部とを備え、上記カバーは、上記器具本体を臨む側に開口する一端開口部を備え、上記カバーは、当該一端開口部側を上記器具本体へ向けて上記器具本体へ取り付けられて、上記光源を覆うものであり、上記カバーは、上方に上記一端開口部を備え、上記器具本体の下方から器具本体へ取り付けられるものであり、上記固定機構は、回転の中心軸の軸方向を上下方向として、上記カバーを上記器具本体に対し回転させることにより、上記カバーを上記器具本体へ取り付けることを可能とするものであり、上記固定機構は、上記器具本体と上記カバーの一方に設けられた係止部と、上記器具本体と上記カバーのうち係止部が設けられた当該一方に形成されたガイド部と、
器具本体とカバーの他の一方に設けられて係止部に係止される被係止部とを備え、上記被係止部は、上記回転の中心からの距離が、上記係止部の上記回転の中心からの距離と同じであり、上記ガイド部は、上記回転の方向について、少なくとも係止部と離れた位置から係止部に至るまで設けられて、被係止部を係止部へ案内するものであり、上記係止部における上記回転の方向の一端には、上記回転の方向に沿って当該一端から離れるにつれ下方へ斜めに伸びる傾斜部が延設され、上記カバーを器具本体に対し回転させることにより、上記ガイド部にガイドされた被係止部は、上記傾斜部を経て係止部の上面へ移動し、上記被係止部が上記係止部の上に乗り上げることにより、上記被係止部が係止部へ係止され、且つ、上記器具本体へ上記カバーが接近するものであり、上記被係止部をガイド部へ合わせることにより、上記カバーの回転にて、上記被係止部を上記係止部へ係止することができ、被係止部の係止部への当該係止により、上記カバーを上記器具本体へ取り付けることができ、上記虫侵入防止部は、上記一端開口部の縁或いは当該縁の外側において上記カバーと上記器具本体との間に介される弾性変形部材であり、上記回転方向について連続して配置された平面視環状の部材であり、上記弾性変形部材は、係止部への被係止部の上記係止により、上記カバーと上記器具本体とに挟まれて弾性変形し、上記カバーと上記器具本体と間を密閉するものであり、弾性変形した弾性変形部材にて、被係止部は係止部へ付勢される。
本願の請求項３の発明は、本願の上記請求項２の発明にあって、次の構成を採る照明器具を提供する。
即ち、上記係止部が設けられた、上記器具本体と上記カバーの一方に、上記被係止部の収容部が設けられ、上記収容部は、上記回転の中心を中心として弧状に伸びる或いは上記回転の中心を中心とする環状の開口部を備え、上記係止部は、上記開口部の径の内外方向及び周方向について、上記開口部内に配置され、上記開口部は、上記周方向について、上記係止部に隣接して当該係止部が形成されない区間を上記ガイド部として備え、上記被係止部は、上記収容部の奥行き方向に隆起する起立部を備え、上記カバーの上記器具本体への取り付けにおいて、上記起立部が収容部内にて収容部を画する面と当接して、上記カバーの上端開口部において、係止部以外の部位が上記器具本体へ直接接触するのを防ぎ、上記カバーは、上記上端開口部において、上記被係止部のみにて、器具本体と直接接触するものである。
本願の請求項４の発明では、本願の上記請求項２又は３の発明にあって、上記器具本体は、上記光源が取り付けられた部位よりも上方にあって、上記器具本体の側面から突出するスリーブを備え、上記スリーブは、側面視において、上記器具本体の径外方向に進むにつれて下方へ傾斜して突出するものであり、上記器具本体側面と上記スリーブとの間の空間が、上記収容部を構成し、上記係止部は、上記光源と上記スリーブの間にて上記器具本体側面から器具本体の径外方向へ突出するものであり、上記固定機構は、固定具を備え、上記固定具は、ねじ山を備えた部材であり、上記収容部内において、上記被係止部が係止部へ乗り上げた先は行き止まりとなっており、上記固定具は、上記移動にて被係止部の係止部へ係止が完了した後、上記スリーブの外部からねじ込まれて、被係止部が係止部の上から後退するのを阻止するものであり、上記固定具は、工具によって取り外しできるものである照明器具を提供する。
本願の請求項５の発明は、上願の上記請求項２乃至４の何れかの発明にあって、次の構成を採る照明器具を提供する。
即ち、上記カバーは、上方に上記一端開口部を備え、上記器具本体の下方から器具本体へ取り付けられるものであり、カバーの上記回転は、平面視において上記器具本体の中心を中心として行われ、上記器具本体は、ＬＥＤが取り付けられた部位よりも上方にあって、上記器具本体の側面から突出するスリーブを備え、上記スリーブは、側面視において、上記器具本体の径外方向に進むにつれて下方へ傾斜して突出するものであり、上記器具本体側面と上記スリーブとの間の空間が、上記収容部を構成し、  上記係止部は、上記光源と上記スリーブの間にて上記器具本体側面から器具本体の径外方向へ突出するものであり、平面視において、複数の上記係止部同士は、間隔を開けて設けられ、上記収容部における上記係止部間の区間が、上記カイド部を構成し、  カバー上端は、カバーの径の内側方向へ突出する環状の内襟部を備え、当該内襟部の内径部が上記一端開口部を規定し、上記被係止部は、上記内襟部の内径部から、カバーの径内側へ向け突出するものであり、平面視において、複数の上記被係止部同士は、間隔を開けて設けられ、上記虫侵入防止部は、側面視において、上記スリーブの外縁と上記内襟部上面との間に介され、被係止部の係止部への上記係止により接近する上記スリーブの外縁と上記内襟部の上面に挟まれて弾性変形し、上記スリーブの外縁と上記内襟部の上面との間を密閉するものであり、上記虫侵入防止部は、スポンジ等の弾力性を有する部材である。
【発明の効果】
【０００７】
本願の各発明は、平面視において環状に設けられた虫侵入防止部にて、器具本体とカバーとの間を確実に密閉し、虫の侵入を抑制した。そして、製造時、カバーを回転させることにより、簡単にカバーを器具本体へ取り付けることができる。このようなカバーの回転によっても、虫侵入防止部は、回転方向に沿って連続するものであるので、カバー或いは器具本体に擦られても簡単に剥離するものではない。特に、係止部に被係止部への乗り上げによる器具本体とカバーの接近にて、器具本体とカバーとから圧縮力を受けるまで、虫侵入防止部には大きな力が掛からず、より捲れ難いものとなっている。このため、カバーや器具本体の製造上、剥がれ防止や滑りをよくするための特段の工夫が不要である。
また、本願の請求項３の発明では、カバーの開口部において、器具本体との直接の接触は、専ら被係止部にて行うものとし、音鳴りの発生を抑制した。特に、本願の請求項１の発明では、カバーと器具本体との間に弾性変形部材としてスポンジを介在させることにより、制振作用により、音鳴りの発生を効果的に抑制することができる。
本願の請求項４の発明では、固定具をねじ込むことにより、工具によって分解しなければ、カバーを外せないものとし、家庭での利用者などにおいて簡単にカバーを外すことを防ぎ、照明器具の安全性を高めた。
【図面の簡単な説明】
【０００８】
【図１】（Ａ）は本願発明の一実施の形態に係る照明器具の縦断面図、（Ｂ）はその照明器具の一部切欠拡縦大断面図。
【図２】（Ａ）は上記照明器具のカバーを外し主として底部側を見せる斜視図、（Ｂ）は上記照明器具の放熱部材を外し主として上面部側を見せる一部切欠斜視図、（Ｃ）は図１（Ｂ）の照明器具のＸ−Ｘ断面図。
【図３】（Ａ）は上記照明器具の一部切欠拡要部縦大断面図、（Ｂ）は他の実施の形態を示す一部切欠拡要部縦大断面図。
【図４】（Ａ）は上記照明器具のカバー７０係止前の一部切欠略底面図、（Ｂ）は上記照明器具の器具本体の一部切欠拡要部略斜視図、（Ｃ）は上記照明器具の器具本体にカバーを装着した状態を示す一部切欠略底面図。
【図５】配光を説明する上記照明器具の縦断面図。
【図６】（Ａ）は上記照明器具の平面図、（Ｂ）は上記照明器具のＬＥＤモジュール１の平面図。
【発明を実施するための形態】
【０００９】
以下、図面に基づき本願発明の実施の形態を説明する。
説明の便宜上、各図において、Ｕは上方、Ｓは下方を示す。
図１（Ａ）へ示す通り、この照明器具は、ペンダント型の即ち天井から吊り下げる吊下げ型の屋内照明器具である。尚、図１（Ａ）（Ｂ）において、図面の煩雑を避けるため、ハッチングは省略している。
この照明器具は、複数のＬＥＤモジュール１と、複数の当該ＬＥＤモジュール１が取り付けられる器具本体２と、放熱部材３と、留め具５と、光拡散部７と、コード８と、虫侵入防止部とを備える。
各部の構成について順に説明する。
【００１０】
（ＬＥＤ１）
上記ＬＥＤモジュール１の夫々は、光源である１つ又は複数のＬＥＤ１０と、基板１１とを備えたモジュールである。当該ＬＥＤ１０は基板１１の表面に設けられている。図２（Ａ）及び図６（Ｂ）へ示す通り、個々のＬＥＤモジュール１の基板１１は、平面視略台形である。図６（Ｂ）へ示す通り、このＬＥＤモジュール１は等脚台形状であるが、正確には、本来台形として平行な一対の辺の一方となるべき短辺１６が、平面視凹の曲線である。但し、当該短辺１６は、通常の台形と同じく、直線としても実施できる。
複数のＬＥＤモジュール１は、上記放熱部材３にて器具本体２へ取り付けられる。
複数のＬＥＤモジュール１は、平面視環状に配列される。図２（Ａ）及び図６（Ｂ）へ示す通り、各基板１１には、複数の上記ＬＥＤ１０の他、モジュール間コネクタ１３や、電源コネクタ１４が設けられる。モジュール間コネクタ１３は、基板１１同士間に介される配線１２へ接続するものである。電源コネクタ１４は、電源からの配線（図示しない。）に接続するものである。図６（Ｂ）の１５は、ネジやボルトなどの固定具を通す穴を示している。
【００１１】
（器具本体２）
上記器具本体２は、図１及び図２へ示す通り、中心軸を上下とするプラスチック製の筒状体である。この実施の形態において、器具本体２は、ポリプロピレンにて形成されている。但し、器具本体２は、ポリプロピレンに限定するものではなく、軽量で照明器具として実用的な強度を備えるものであれば、ポリプロピレン以外の素材にて形成することが可能である。
図１（Ａ）へ示す通り、器具本体２である当該筒状体の高さは、その直径よりも小さい。上記器具本体２は、下端に底部を備え、上端が開口する。この上端開口部の外縁にはフランジ部２０が形成されている。フランジ部２０の上面に、シャーシ６が取り付けられて、器具本体２の上端開口部は、当該シャーシ６にて塞がれる。
フランジ部２０には、図１（Ｂ）及び図３（Ａ）へ示す通り、フランジ部２０の上面から下面に貫通する複数の窓部２１が設けられている。複数の窓部２１は、平面視において、上記上端開口部を取り囲むようフランジ部２０へ設けられている。
図１（Ｂ）及び図３（Ａ）へ示す通り、フランジ部２０の外縁２０ａには、側面視において、フランジ部２０の径外方向且つ下方に向け斜めに伸びるスリーブ２２が延設されている。フランジ部２０の下面には、側面視において、上記窓部２１とスリーブ２２との間から、下方へ伸びる筒状部２３が設けられている。この筒状部２３は、下端が解放されている。スリーブ２２と筒状部２３は、何れも、器具本体２が呈する上記筒状体と同心である。
【００１２】
図３（Ａ）へ示す通り、スリーブ２２の内周面と筒状部２３の外周面との間は、器具本体２の径の内外方向について、間隔が開けられており、両者の間の空間が、後述する被係止部２４の収容部ｋを構成する。即ち、側面視において、スリーブ２２は、上記空間を画する外壁部であり、筒状部２３は上記空間を画する内壁部である。
図３（Ａ）へ示す通り、スリーブ２２の内周面には、側面視において、スリーブ２２の径の内側へスリーブ２２の外縁２２ａと隣接して座部２６が設けられている。座部２６は、下端がスリーブ２２の上記外縁２２ａの上方に位置する。この実施の形態において、座部２６の下面は平らである。座部２６は、平面視において環状に形成されている。座部２６が呈する環は、器具本体２と同心である。
この実施の形態において、座部２６は、平面視において、同心の二重の円として、２つ設けられているが、座部２６は１つでも、３つ以上でも実施できる。
図３（Ａ）へ示す通り、側面視において、スリーブ２２の外縁２２ａと筒状部２３の下縁２３ａとの間、正確には上記座部２６と筒状部２３の下縁２３ａとの間には間隔が開けられており、当該座部２６と筒状部２３の下縁２３ａとの間は、上記収容部ｋの開口部ｋ１を形成する。この開口部ｋ１は、平面視において、筒状の器具本体と同心の環を呈する。
図２（Ｂ）及び図３（Ａ）へ示す通り、筒状部２３の下縁２３ａには、平面視において周方向の互いに異なる位置へ複数の係止部２４が設けられている。係止部２４は、夫々筒状部２３の下縁２３ａから筒状部２３の径外方向へ向けて突出する小片である。
係止部２４は、図２（Ｂ）及び図４へ示す通り、スリーブ２２の周方向ｒに沿って設けられ、上面をほぼ水平な面とする板状部である。
平面視において、スリーブ２２の周方向ｒについて、開口部ｋ１の上記係止部２４同士の間には、間隔が開けられ、収容部ｋにおいて、平面視における当該係止部２４同士の間は、ガイド部ｋ２を構成する（図２（Ｂ）及び図４）。
図２（Ｂ）及び図４（Ｂ）へ示す通り、係止部２４におけるスリーブ２２周方向ｒの一端には、側面視においてスリーブ２２の周方向ｒに沿って当該一端から離れるにつれ下方へ向け斜めに伸びる傾斜部２５が延設されている。
尚、図２（Ｂ）は、説明の便宜上、接続用部４とスリーブ２２と筒状部２３の係止部２４以外の部分とを取り除いて描かれている。
【００１３】
上記シャーシ６は、器具本体２の上部に設けられて、器具本体２の上面を構成する、冷間圧延鋼板でできた円盤である。シャーシ６は、図１（Ａ）へ示す通り、器具本体２の上面を構成すべく、盤面を上下に向け水平に配されている。
前述の通り、上記シャーシ６は、器具本体２の上面部として、器具本体２のフランジ部２０に取り付けられて、器具本体２の上記開口部を塞ぐ。
詳しくは、側面視において、シャーシ６は、フランジ部２０の上記窓部２１に重なる部位が、下方への隆起部６１として、上方から窓部２１内へ入りこむ（図３（Ａ））。
【００１４】
（放熱部材３）
上記放熱部材３は、図１（Ａ）（Ｂ）及び図２（Ａ）に示す通り、上記の器具本体２に設けられた金属製の部材である。
放熱部材３は、平面視において、器具本体２を取り囲んで環状に配列された複数のアルミ製の構成板３０にて構成される。
側面視において、構成板３０の夫々は、上記ＬＥＤモジュール１を取り付ける取付用部３１と、当該取付用部３１を上記シャーシ６へ接続する接続用部３２とを備える。
上記取付用部３１の表面にＬＥＤモジュール１の上記基板１１の裏面が固定される。
構成板３０の夫々は、当該取付用部に取り付けられた上記ＬＥＤモジュール１の発する熱を放熱すると共に当該熱の一部を上記シャーシ６に伝導する。
側面視において、上記取付用部３１の夫々は、上記器具本体２への固定端を下端とし、上記シャーシ６に対して１０度〜４５度傾斜する。
平面視において、上記の通り、複数の構成板３０が環状に配され、側面視において、上記放熱部材３の下部は、構成板３０の上記取付用部３１の夫々を側面として下方に窄まる角錐台を呈する。
この実施の形態において、上記ＬＥＤモジュール１及び構成板３０は夫々８枚であり、放熱部材３は、８つ取付用部３１を備える。従って、平面視において、上記８枚の構成板３０が環状に配され、側面視において、上記放熱部材３の下部は、構成板３０の上記取付用部３１の夫々を側面として下方に窄まる八角錐台を呈する。放熱部材３の下端面は、正確には、平面視円形である。即ち、上記の逆八角錐台の各側面の下辺は、直線ではなく円弧である。
そして、側面視において、取付用部３１の夫々は、一端を下端とし、当該下端が器具本体２の底面の縁において器具本体２へ固定されている。取付用部３１の夫々は、上記の通り八角錐台の側面とされることによって、側面視において、他の一端を上端として、当該上端を上記下端の上方であって、構成板３０が呈する環の外側へ向ける。
【００１５】
上記角度に傾斜する取付用部３１の夫々に、各ＬＥＤモジュール１の基板１１裏面を固定する。ネジやボルト・ナットといった固定具を基板１１の前述の穴１５へ通すことにより、基板１１の裏面を取付用部３１の表面へ密着するように固定することができる。
上記の固定により、側面視において、当該基板１１をシャーシ６に対して１０度〜４５度傾斜させることができる。即ち、側面視において、部屋の床面に対し、当該基板１１を１０度〜４５度傾斜させることができる。
また、取付用部３１の夫々に、各ＬＥＤモジュール１の基板１１裏面を固定することによって、平面視において、上記複数のＬＥＤモジュール１を上記器具本体２へ環状に配列することができる。
基板１１に対してＬＥＤ１０の光軸は、側面視において、９０度の角度をなすものであり、基板１１の上記傾斜によって、側面視において、当該配列の環の外側下方に向けＬＥＤ１０の光軸を斜めとする。即ち、側面視において、部屋の床面に対し、ＬＥＤ１０の光軸を傾斜させることができる。
尚、図２（Ａ）において、八角錐台の手前の２つの側面は、ＬＥＤモジュール１を外された状態に描かれており、２枚の構成板３０の取付用部３１が露出している。図２（Ａ）へ示す通り、構成板３０の取付板３１はその表裏に貫通する貫通部３１を備える。この貫通部３１へ、電源と電気的に連絡する配線や、隣り合う基板１１同士を接続する配線１２が通される。
【００１６】
側面視において、上記構成板３０の接続用部３２は、取付用部３１の上端から、取付用部３１と反対に傾斜して上方へ伸びる。即ち、側面視において、接続用部３２と取付用部３１とは、くの字を呈する。更に、図１（Ｂ）及び図２（Ａ）へ示す通り、側面視において、接続用部３２の上端部３３は、接続用部３２の下部に対し屈曲して、フランジ部２０の径内方向に向け横方向に伸びる。
接続用部３２の当該上端部３３は、フランジ部２０の下方から、フランジ部２０の上記窓部２１へ配置される。当該配置によって、接続用部３２の上端部３３は、窓部２１にてシャーシ６の下面に沿わされる。
接続用部３２の上端部３３は、シャーシ６の前述の隆起部６１に、窓部２１を通じて、重ねられ、前記留め具５が通される。
図１（Ｂ）及び図３（Ａ）へ示す通り、接続用部３２の内側面には上下に伸びる複数の隆起３４が形成されている。この隆起３４は、接続用部３２を補強すると共に接続用部３２の表面積を大きくして、放熱効果を高める。
【００１７】
（留め具５）
留め具５は、ネジやピン、ボルト・ナットといった周知の固定手段にて実施すればよい。上記の通り窓部２１を通じて留め具５をシャーシ６と接続用部３２の上端部３３へ通すことにより、シャーシ６へ接続用部３２を固定すると共に、シャーシ６と接続用部３２を器具本体２へ固定する。また、器具本体２へ接続用部３２を固定することにより、構成板３０の上端を器具本体２へ固定することになる。
上記構成板３０のシャーシ６への固定により、構成板３０が受けたＬＥＤモジュール１の熱の一部が、構成板３０からシャーシ６へ伝えられる。
尚、この実施の形態では、シャーシ６の器具本体２への固定をより確実にするために、上記留め具５とは別に、シャーシ６の取り付け専用の、上記接続用部３２の固定に関与しない副留め具５１を設けている（図１（Ａ）及び図６（Ａ））。
【００１８】
（コード８）
上記のコード８は、図１（Ａ）へ示す通り、天井から下方に間隔を開けて、シャーシ６と、当該シャーシ６が設けられた器具本体２を吊るす。
また、コード８は、内部に電気を供給する電線を有するものであり、上記の通り、シャーシ６と共に器具本体２を支持するほか、器具本体２に設けられた前述の交流・直流変換機や整流器といった電気機器（図示しない）を介して上記配線１２（図２（Ａ））と接続されて、ＬＥＤモジュール１へ電源を供給する。
コード８の上端側には、引掛部８１が設けられている。天井の電源供給部（引っ掛けシーリング）に、当該引掛部８１へ引っ掛けることにより、コード８の上端を、天井へ固定すると共に電源から照明器具へ電気を供給することができる。上記の接続固定具８２と引掛部８１は、周知の結合構造を採るものを採用する。
コード８が、照明器具を天井より下方に配置することにより、シャーシ６は、放熱部材３から伝達された熱を、天井と照明器具との間の空間を利用して、円滑に空気中へ放散することができる。
具体的には、ＬＥＤモジュール１の熱は、放熱部材３表面から直接空気中へ放出されると共に、図１（Ａ）において太字の矢印で示す通り、構成板３０の取付用部３１から接続用部３２を経て、シャーシ６へ伝わり、シャーシ６表面から照明器具の上方の空間へ向け放射される。図１（Ａ）において、煩雑を避けるため、太字の矢印は、側面視において、照明器具の左側にのみ付し、照明器具の右側については省略している。
上記の通りコード８は、照明器具の天井への支持と、電気の供給を兼ねるものとすることにより、照明器具の取り付けや配線を纏まりのよいものとすることができる。纏まりの良い分照明器具の設置も簡単に行える。
但し、当該電源の供給は、コード８とは別に設けられた電線によるものとし、コード８は専らシャーシ６や器具本体を支持するものを除外するものではない。
更に、この実施の形態では、キャップ８０がシャーシ６の上面中央に取り付けられる。このキャップ８０は、錐状の中空の部材であり、コード８の下端側を覆う。
この実の形態において、キャップ８０は、プラスチック製の部材である。この他、シャーシ６と共に放熱効果を促進するために、金属製の部材にてキャップ８０を形成してもよい。
【００１９】
（光拡散部７）
この照明器具は、器具本体２の下部を覆うカバー７０を備える。
カバー７０は、光を拡散して透過することができる、透明又は半透明のプラスチックにて形成されている。この実施の形態において、カバー７０は、白色、特に乳半色のアクリルにて形成されている。但し、ＬＥＤの発する光を拡散して透過するものであれば、このような素材に限定するものではなく、他の素材にてカバー７０を形成することが可能である。
カバー７０は、前記光拡散部７と、中央部７２と、内襟部７８とを備える。
光拡散部７は、平面視において、取付用部３にて器具本体２へ取り付けられて上記環状に配列されたＬＥＤモジュール１を覆う環状のケースである。ケースである光拡散部７の上部は開口する。
中央部７２は、平面視において光拡散部７が呈する環の内側を塞ぐように、光拡散部７と一体に形成された板状部である。中央部７２は、図１（Ａ）へ示す通り、径の中心を最深部として、側面視において、上方へ後退する凹曲面を呈する。
【００２０】
上記光拡散部７は、ＬＥＤ１からの直接光を拡散して照明器具の外部へ透過する。
平面視において、光拡散部７の外径、即ち、カバー７０の最大径は、上記スリーブ２２の径よりも大きい。
光拡散部７は、図１（Ｂ）へ示す通り、側面視においてＬＥＤ１０の光軸とほぼ直交する主透過部７１と、上方透過部７３とを備える。
平面視において、主透過部７１と上方透過部７３は、夫々環状に形成されている。
平面視において、上記主透過部７１は機器本体２の径方向の外側に位置する。
上方透過部７３は、主透過部７１の径の内外方向について、主透過部７１の外側に設けられている。上方透過部７３は、主透過部７１と一体に設けられる。上方透過部７３は、平面視において光拡散部７の外径部となる主透過部７１の外縁から、内側に折り返された状態に形成されて、側面視において主透過部７１の上方へ位置する。
カバー７０を器具本体２の下方へ、器具本体２と同心に配置した際、平面視において、上方透過部７３は、前記スリーブ２２の外側に位置するものであり、側面視において、上方透過部７３は、スリーブ２２と主透過部７１との間を覆う傾斜部位である。
側面視において、上方透過部７３は、ＬＥＤ１からの直接光を拡散して照明器具の外部へ透過すると共に主透過７１の内面にて反射しＬＥＤ１の光をスリーブ２２の外側斜め上方へ向けて透過する。
上記の中央部７２は、器具本体２の真下に位置する。中央部７２の上面と器具本体２底部との間に間隔が設けられている。中央部７２は、ＬＥＤ１０から直接・間接的に器具本体２の真下に向かって斜め下方に進行する光を拡散してカバー７０外部へ透過する。
【００２１】
内襟部７８は、図２（Ｃ）及び図３（Ａ）へ示す通り、側面視において、光拡散部７の上方透過部７２の上端から、上面を水平にして、光拡散部７の径内方向へ向けて伸びる、平面視環状の板状部である。
内襟部７８の内径部には、内襟部７８の径内側方向へ突出する複数の被係止部７５が設けられている。被係止部７５同士は、平面視において、内襟部７８の周方向について、間隔を開けて設けられている。内襟部７８の周方向における、被係止部７５同士の当該間隔区間を以下間欠部７６と呼ぶ。
平面視において、器具本体２と同心となるように、器具本体２の下方へカバー７０を配置した状態において、スリーブ２２の外縁２２ａは、内襟部７８上面の上方に位置し、上記各被係止部７５は、器具本体２のスリーブ２２の径内外方向について、前記開口部ｋ１内に位置する。上記配置状態において、平面視における被係止部７５の器具本体２の中心からの距離は、平面視における係止部２４の器具本体２の中心からの距離と等しい。
被係止部７５は、上方に隆起する起立部７７を備える。
図２（Ｂ）及び図４（Ａ）は、カバー７０を、器具本体２へ固定する前の状態を示している。
図２（Ｂ）及び図４（Ａ）へ示す通り、カバー７０を器具本体２の下部へ配置し、収容部ｋにおける前記ガイド部ｋ２の開口部ｋ１から上記収容部ｋ内へ被係止部７５を挿入する。カバー７０を器具本体２の周方向へ回転させて、上記間欠部７６へ、前記の傾斜部２５及び係止部２４を、当該順に通す。ガイド部ｋ２は、上記回転に伴い、被係止部７５を係止部２４へ向けてガイドする。
図４（Ｂ）に被係止部７５を一点鎖線で示す。この図４（Ｂ）へ示す通り、傾斜部２５へ到達した被係止部７５は、傾斜部２５に案内されて、図４（Ｃ）へ示す通り、係止部２４の上面へ移動する。
上記スリーブ２２内部において、上記傾斜部２５側を入口側とし係止部２４を挟んで傾斜部２５と反対側は、筒状部２３の外壁の一部にて行き止まりとなっている。
被係止部７５の係止部２４上面への移行によって、被係止部７５の係止部２４への係止は完了する。
上記の通り、被係止部７５を係止部２４へ係止することにより、カバー７０を器具本体２へ仮止めすることができる。
【００２２】
上記仮止め後、図２（Ｃ）及び図３（Ａ）へ示す通り、スリーブ２２へ、ネジやボルトといった、ねじ山を備えた上記固定具４をねじ込む。この固定具４によって、被係止部７５が係止部２４の上面から上記入口側へ後退するのを阻止する。
固定具は、工具によって取り外ことができるものである。即ち、分解しなければ、カバー７０を器具本体から外すことができない。
上記の係止部２４と被係止部７５と収容部ｋと固定具４とが、カバー７０を器具本体２へ固定する固定機構を構成する。
上記固定具４の装着にて、カバー７０を器具本体２から、ユーザーサイドにて外せないようにし、ユーザーが加熱したＬＥＤの基板１１へ触れるを防ぐことができる。
但し、上記固定機構は、被係止部７５を係止部２４へ係止した後被係止部７５の後戻りを阻止する周知の嵌め殺しの構成を、このような固定具４に代えて、或いは固定具４と共に設けるものとしても実施できる。
被係止部２４の前記起立部７７先端は、スリーブ２２の内面に当接する。当該当接により、被係止部７５の係止部２４への係止において、カバー７０は、上記被係止部７５以外の部分で、器具本体２と接触しない。
即ち、起立部７７の上記当接により、内襟部７８の上面と、スリーブ２２の外縁２３ａとの間には、隙間が開けられる。
【００２３】
（虫侵入防止部）
上記の座部２６の下面に、虫侵入防止部２５が設けられる。虫侵入防止部２５は、押圧されることにより弾性変形する弾性変形部材である。上記虫侵入防止部２５は、上記スリーブ２２の外縁２２ａに沿って当該外縁２２ａ又は上記起立部７７よりも当該外縁２２ａ側に設けられ、座部２６に沿って平面視環状に配された部材である。
座部２６に設けられた虫侵入防止部２５の下端は、スリーブ２２の外縁２２ａよりも下方に突出する。
虫侵入防止部２５には、スポンジやゴム、ウレタンといった弾力性を有するクッション材を採用することができる。この実施の形態では、虫侵入防止部２５にはスポンジを採用する。
上記虫侵入防止部２５は、上記カバー７０と上記器具本体２との間に介され、係止部２４への被係止部７５の上記係止により、上記カバー７０の内襟部７８と上記器具本体２のスリーブ２２の外縁２２ａとに挟まれて弾性変形し、上記カバー７０と上記器具本体２と間を密閉し、スリーブ２２外縁２２ａとカバー７０の上記内襟部７８との間を通って虫が外部からカバー７０内に侵入するのを防止する。
また、弾性変形した虫侵入防止部にて、被係止部７５は係止部２４へ付勢され、係止がより強固なものとされる。
カバー７０と器具本体２とを異なる素材にて形成すると、熱膨張率・熱収縮率の違いにより、カバー７０と器具本体２の収縮や膨張の際に、器具本体２とカバー７０との間において、音鳴りが生じる。
器具本体２とカバー７０との間に上記虫侵入防止部２５を介すると共に、起立部７７により、被係止部７５の係止部２４への係止中、カバー７０の上端開口部において、カバー７０を上記被係止部７５以外の部分で、器具本体２と接触させないことにより、上記音鳴りを抑制することができる。虫侵入防止部２５にスポンジを採用するのが、音鳴り防止に効果的である。
【００２４】
（配光について）
図５を用いて、本願発明に係る上記照明器具の配光について説明する。図５に示す照明器具は、側面視において、ＬＥＤモジュール１の基板１１を、シャーシ６に対して、言い換えれば床面に対して２５度の角度傾斜させたものである。
図５では、直接光のみ示し、反射光については省略する。
本願発明の配光を実線の直線で示す。また、基板１１を水平（傾斜角度０度）に配置する、従来の照明器具の配光を点線で示す。また、比較例として、基板１１を鉛直に立てた状態（９０度）の配光を一点鎖線で示す。上記実線同士、点線同士、一点鎖線同士に挟まれた、本願、従来例、比較例夫々の配光各は、何れも１２０度である。
図５へ示す通り、カバー内の反射を除いた、直接光の配光について見れば、本願発明に係る照明器具は、ＬＥＤ同士で重なるところが少なく、照明器具のほぼ真横まで配光されている。
これに対して、従来の基板１１を水平とするものは、ＬＥＤ間の配光の重なりが本願の照明器具に比して極めて大きく、横方向には殆ど配光されていない。
また、上記比較例では、真横や上方への配光がなされているものの、肝心の照明器具の真下については配光されず、中抜け状態となっている。
【００２５】
（変更例）
図３（Ｂ）へ示す通り、虫侵入防止部２５は、スリーブ２２の外縁２２ａの下面を覆うように、スリーブ２２へ設けるものとしても実施できる。
図１〜図３へ示す各実施の形態において、放熱部材３は、複数の構成板３０にて分割して形成されたものであったが、一つの金属部材で一体に形成するものとしてもよい。
また、放熱部材３の下部は、上記の実施の形態において、図２（Ａ）へ示す通り、八角錐台を呈するものとした。取付用部３は、この他、三角〜七角錐台或いは九角錐以上の多角錐台を呈するものとしても実施できる。更には、放熱部材３の下部は、円錐台を呈するものとしても実施できる。
また、放熱部材３の構成板３０に上記接続用部３２を設けず、取付用部３１を直接シャーシ６へ接続するものとしても実施できる。更には、放熱部材３をシャーシ６と一体に形成するものとしてもよい。放熱部材３をシャーシ６と一体に形成する場合、両者を共にアルミ又は冷間圧延鋼板にて形成するものとすればよい。
放熱部材３は、アルミ製のものに限定するものではなく、ＬＥＤモジュール１の熱を伝導し放熱するに適した他の金属を用いて実施することも可能である。
上記図示した実施の形態において、開口部ｋ１は、平面視環状に形成されたものを示したが、弧状であっても実施できる。
また、上記おいて、係止部２４は、筒状部２３へ設けられて筒状部２３の径外方向へ突出するものとした。この他、係止部２４は、スリーブ２２へ設けられてスリーブ２２の径内方向へ突出するものとしてもよい。
係止部２４と被係止部７５については、互いの構成が、図示した実施の形態と逆であっても実施できる。係止部２４と被係止部７５を図示した実施の形態と逆にする場合、被係止部７５の上記収容部ｋを、カバー７０側に形成すればよい。
更に、上記各実施の形態において、虫侵入防止部２５は、器具本体２のフランジ２２へ固定するものとしたが、カバー７０側へ固定するものとしても実施できる。
【符号の説明】
【００２６】
１  ＬＥＤ  
２  器具本体
３  放熱部材
４  固定具
５  留め具
６  シャーシ